(57)【特許請求の範囲】
【請求項１】
複数の信号処理装置のうちのいずれかに入力された入力信号に対して、分担して信号処理を施す前記複数の信号処理装置のうちの所定の信号処理装置において、
前記入力信号の、自身の処理能力に応じた第１の信号量の第１信号に対する信号処理を施して、第１の出力信号を生成する信号処理手段と、
第１の他の信号処理装置において、前記入力信号の、前記第１の他の信号処理装置の処理能力に応じた第２の信号量の第２信号に対する信号処理が施された第２の出力信号と、前記第１の出力信号とを、信号量を足し合わせた１つの信号に統合し、第２の他の信号処理装置に出力する信号統合手段と、
前記入力信号を、前記第１信号と、第３の信号量の第３信号とに分割する信号分割手段と
を備え、
前記信号処理手段は、第１の信号量の前記第１の出力信号を生成し、
前記信号統合手段は、前記第１の他の信号処理装置において、前記第３信号が、前記第２信号と第４の信号量の第４信号とに分割され、第２の信号量の前記第２の出力信号と、第３の他の信号処理装置からの第４の信号量の信号とが１つに統合された、第３の信号量の第３の出力信号と、前記第１の出力信号とを統合し、前記第２の他の信号処理装置に出力する
信号処理装置。
【請求項２】
前記信号分割手段は、前記第２の他の信号処理装置において、前記入力信号が分割された第５の信号量の第５信号を、前記第１信号と前記第３信号とに分割する
請求項１に記載の信号処理装置。
【請求項３】
前記複数の信号処理装置それぞれの処理能力に応じて、前記複数の信号処理装置により分担される信号処理のうちの、前記信号処理手段が施す信号処理の第１の信号量を指示する指示手段をさらに備える
請求項１に記載の信号処理装置。
【請求項４】
複数の信号処理装置のうちのいずれかに入力された入力信号に対して、分担して信号処理を施す前記複数の信号処理装置のうちの所定の信号処理装置の信号処理方法において、
前記入力信号の、自身の処理能力に応じた第１の信号量の第１信号に対する信号処理を施して、第１の出力信号を生成する信号処理ステップと、
第１の他の信号処理装置において、前記入力信号の、前記第１の他の信号処理装置の処理能力に応じた第２の信号量の第２信号に対する信号処理が施された第２の出力信号と、前記第１の出力信号とを、信号量を足し合わせた１つの信号に統合し、第２の他の信号処理装置に出力する信号統合ステップと、
前記入力信号を、前記第１信号と、第３の信号量の第３信号とに分割する信号分割ステップと
を含み、
前記信号処理ステップの処理は、第１の信号量の前記第１の出力信号を生成し、
前記信号統合ステップの処理は、前記第１の他の信号処理装置において、前記第３信号が、前記第２信号と第４の信号量の第４信号とに分割され、第２の信号量の前記第２の出力信号と、第３の他の信号処理装置からの第４の信号量の信号とが１つに統合された、第３の信号量の第３の出力信号と、前記第１の出力信号とを統合し、前記第２の他の信号処理装置に出力する
信号処理方法。
【請求項５】
複数の信号処理装置のうちのいずれかに入力された入力信号に対して、分担して信号処理を施す前記複数の信号処理装置のうちの所定の信号処理装置を制御するコンピュータに、
前記入力信号の、自身の処理能力に応じた第１の信号量の第１信号に対する信号処理を施して、第１の出力信号を生成する信号処理ステップと、
第１の他の信号処理装置において、前記入力信号の、前記第１の他の信号処理装置の処理能力に応じた第２の信号量の第２信号に対する信号処理が施された第２の出力信号と、前記第１の出力信号とを、信号量を足し合わせた１つの信号に統合し、第２の他の信号処理装置に出力する信号統合ステップと、
前記入力信号を、前記第１信号と、第３の信号量の第３信号とに分割する信号分割ステップと
を含む処理をコンピュータに実行させ、
前記信号処理ステップの処理は、第１の信号量の前記第１の出力信号を生成し、
前記信号統合ステップの処理は、前記第１の他の信号処理装置において、前記第３信号が、前記第２信号と第４の信号量の第４信号とに分割され、第２の信号量の前記第２の出力信号と、第３の他の信号処理装置からの第４の信号量の信号とが１つに統合された、第３の信号量の第３の出力信号と、前記第１の出力信号とを統合し、前記第２の他の信号処理装置に出力する
プログラム。
【請求項６】
複数の信号処理装置のうちのいずれかに入力された入力信号に対して、分担して信号処理を施す前記複数の信号処理装置からなる信号処理システムにおいて、
前記複数の信号処理装置のうちの所定の信号処理装置は、
前記入力信号の、自身の処理能力に応じた第１の信号量の第１信号に対する信号処理を施して、第１の出力信号を生成する信号処理手段と、
第１の他の信号処理装置において、前記入力信号の、前記第１の他の信号処理装置の処理能力に応じた第２の信号量の第２信号に対する信号処理が施された第２の出力信号と、前記第１の出力信号とを、信号量を足し合わせた１つの信号に統合し、第２の他の信号処理装置に出力する信号統合手段と、
前記入力信号を、前記第１信号と、第３の信号量の第３信号とに分割する信号分割手段と
を備え、
前記信号処理手段は、第１の信号量の前記第１の出力信号を生成し、
前記信号統合手段は、前記第１の他の信号処理装置において、前記第３信号が、前記第２信号と第４の信号量の第４信号とに分割され、第２の信号量の前記第２の出力信号と、第３の他の信号処理装置からの第４の信号量の信号とが１つに統合された、第３の信号量の第３の出力信号と、前記第１の出力信号とを統合し、前記第２の他の信号処理装置に出力する
信号処理システム。
【発明の詳細な説明】
【技術分野】
【０００１】
本発明は、信号処理装置および方法、プログラム、並びに信号処理システムに関し、特に、信号処理システムにおいて、既存システムを廃棄せずに、信号の広帯域化に対応することができるようにする信号処理装置および方法、プログラム、並びに信号処理システムに関する。
【背景技術】
【０００２】
従来の信号処理システムにおいて、信号処理部や信号伝送路、入出力インタフェース等が、広帯域な入力信号に対応していない場合、入力信号の帯域が拡大したときには、信号処理システム全体を交換するか、または、何らかの手法によって入力信号の帯域を縮小することで、入力信号を入力していた。
【０００３】
信号処理システム全体を交換する場合、交換に伴う新規システムの導入コストとともに、既存システムの廃棄コストがかかる。また、入力信号の帯域を縮小する場合、拡大された帯域を無視してしまうため、帯域拡大によって得られる入力信号の品質向上の恩恵を受けることができない。
【０００４】
一般的には、帯域拡大による信号の品質向上が重視されるため、コストがかかっても、信号処理システム全体を交換することが選択されることが多い。
【０００５】
具体的には、例えば、コンピュータネットワークにおける通信のビットレートが高くなると、通信の高速化による恩恵を得るために、それまでコンピュータに搭載されていた、低速な処理を行う通信装置を廃棄し、高速な処理を行う通信装置に置き換えることが行われる。
【０００６】
高速な処理を行う通信装置は、低速な処理を行う通信装置との互換性を備えており、相互の接続は可能であるので、それぞれがコンピュータネットワーク内に混在しても問題ない。しかしながら、通信の高速化による恩恵は、置き換えのコストと比較しても非常に大きいため、コンピュータネットワーク全体の通信装置を、高速な処理を行う装置に置き換えることが一般的になっている。
【０００７】
しかしながら、このような置き換えは、従来の低速な処理を行う通信装置等の廃棄物の増加を招き、現在、社会問題となっている環境の悪化につながるという問題がある。
【０００８】
そこで、帯域拡大に対応する手法として、例えば、ＩＰ電話機からのリアルタイム通信における１００ＢＡＳＥ−ＴＸデータ（１００ＢＡＳＥ−ＴＸの規格に基づくデータ）の集中を監視し、オーバーフローの可能性があると判断したとき、対局側の伝送帯域制御装置に通知し、同期させて、パーソナルコンピュータからのリアルタイム通信における１００ＢＡＳＥ−ＴＸデータの無線区間における伝送帯域を縮小し、その分、ＩＰ電話機のリアルタイム通信の無線区間における伝送帯域を拡大することが提案されている（例えば、特許文献１参照）。
【０００９】
【特許文献１】特開２００４−２０８１２４号公報
【発明の開示】
【発明が解決しようとする課題】
【００１０】
しかしながら、特許文献１の手法においては、装置単独における通信全体の帯域拡大には対応できず、また、装置単独で対応可能な帯域を超えた入力信号にも対応できない。
【００１１】
本発明は、このような状況に鑑みてなされたものであり、信号処理システムにおいて、既存システムを廃棄せずに、信号の広帯域化に対応することができるようにするものである。
【課題を解決するための手段】
【００１２】
本発明の第１の側面の信号処理装置は、複数の信号処理装置のうちのいずれかに入力された入力信号に対して、分担して信号処理を施す前記複数の信号処理装置のうちの所定の信号処理装置であって、前記入力信号の、自身の処理能力に応じた第１の信号量の第１信号に対する信号処理を施して、第１の出力信号を生成する信号処理手段と、第１の他の信号処理装置において、前記入力信号の、前記第１の他の信号処理装置の処理能力に応じた第２の信号量の第２信号に対する信号処理が施された第２の出力信号と、前記第１の出力信号とを、信号量を足し合わせた１つの信号に統合し、第２の他の信号処理装置に出力する信号統合手段と、前記入力信号を、前記第１信号と、第３の信号量の第３信号とに分割する信号分割手段とを備え、前記信号処理手段は、第１の信号量の前記第１の出力信号を生成し、前記信号統合手段は、前記第１の他の信号処理装置において、前記第３信号が、前記第２信号と第４の信号量の第４信号とに分割され、第２の信号量の前記第２の出力信号と、第３の他の信号処理装置からの第４の信号量の信号とが１つに統合された、第３の信号量の第３の出力信号と、前記第１の出力信号とを統合し、前記第２の他の信号処理装置に出力する。
【００１４】
前記信号分割手段には、前記第２の他の信号処理装置において、前記入力信号が分割された第５の信号量の第５信号を、前記第１信号と前記第３信号とに分割させることができる。
【００１６】
前記信号処理装置には、前記複数の信号処理装置それぞれの処理能力に応じて、前記複数の信号処理装置により分担される信号処理のうちの、前記信号処理手段が施す所定の信号処理の第１の帯域の帯域幅を指示する指示手段をさらに設けることができる。
【００１７】
本発明の第１の側面の信号処理方法は、複数の信号処理装置のうちのいずれかに入力された入力信号に対して、分担して信号処理を施す前記複数の信号処理装置のうちの所定の信号処理装置の信号処理方法であって、前記入力信号の、自身の処理能力に応じた第１の信号量の第１信号に対する信号処理を施して、第１の出力信号を生成する信号処理ステップと、第１の他の信号処理装置において、前記入力信号の、前記第１の他の信号処理装置の処理能力に応じた第２の信号量の第２信号に対する信号処理が施された第２の出力信号と、前記第１の出力信号とを、信号量を足し合わせた１つの信号に統合し、第２の他の信号処理装置に出力する信号統合ステップと、前記入力信号を、前記第１信号と、第３の信号量の第３信号とに分割する信号分割ステップとを含み、前記信号処理ステップの処理は、第１の信号量の前記第１の出力信号を生成し、前記信号統合ステップの処理は、前記第１の他の信号処理装置において、前記第３信号が、前記第２信号と第４の信号量の第４信号とに分割され、第２の信号量の前記第２の出力信号と、第３の他の信号処理装置からの第４の信号量の信号とが１つに統合された、第３の信号量の第３の出力信号と、前記第１の出力信号とを統合し、前記第２の他の信号処理装置に出力する。
【００１８】
本発明の第１の側面のプログラムは、複数の信号処理装置のうちのいずれかに入力された入力信号に対して、分担して信号処理を施す前記複数の信号処理装置のうちの所定の信号処理装置を制御するコンピュータに、前記入力信号の、自身の処理能力に応じた第１の信号量の第１信号に対する信号処理を施して、第１の出力信号を生成する信号処理ステップと、第１の他の信号処理装置において、前記入力信号の、前記第１の他の信号処理装置の処理能力に応じた第２の信号量の第２信号に対する信号処理が施された第２の出力信号と、前記第１の出力信号とを、信号量を足し合わせた１つの信号に統合し、第２の他の信号処理装置に出力する信号統合ステップと、前記入力信号を、前記第１信号と、第３の信号量の第３信号とに分割する信号分割ステップとを含む処理をコンピュータに実行させ、前記信号処理ステップの処理は、第１の信号量の前記第１の出力信号を生成し、前記信号統合ステップの処理は、前記第１の他の信号処理装置において、前記第３信号が、前記第２信号と第４の信号量の第４信号とに分割され、第２の信号量の前記第２の出力信号と、第３の他の信号処理装置からの第４の信号量の信号とが１つに統合された、第３の信号量の第３の出力信号と、前記第１の出力信号とを統合し、前記第２の他の信号処理装置に出力する。
【００１９】
本発明の第２の側面の信号処理システムは、複数の信号処理装置のうちのいずれかに入力された入力信号に対して、分担して信号処理を施す前記複数の信号処理装置からなる信号処理システムであって、前記複数の信号処理装置のうちの所定の信号処理装置が、前記入力信号の、自身の処理能力に応じた第１の信号量の第１信号に対する信号処理を施して、第１の出力信号を生成する信号処理手段と、第１の他の信号処理装置において、前記入力信号の、前記第１の他の信号処理装置の処理能力に応じた第２の信号量の第２信号に対する信号処理が施された第２の出力信号と、前記第１の出力信号とを、信号量を足し合わせた１つの信号に統合し、第２の他の信号処理装置に出力する信号統合手段と、前記入力信号を、前記第１信号と、第３の信号量の第３信号とに分割する信号分割手段とを備え、前記信号処理手段は、第１の信号量の前記第１の出力信号を生成し、前記信号統合手段は、前記第１の他の信号処理装置において、前記第３信号が、前記第２信号と第４の信号量の第４信号とに分割され、第２の信号量の前記第２の出力信号と、第３の他の信号処理装置からの第４の信号量の信号とが１つに統合された、第３の信号量の第３の出力信号と、前記第１の出力信号とを統合し、前記第２の他の信号処理装置に出力する。
【００２２】
本発明の第１の側面においては、入力信号の、自身の処理能力に応じた第１の信号量の第１信号に対する信号処理が施されて、第１の出力信号が生成され、第１の他の信号処理装置において、入力信号の、第１の他の信号処理装置の処理能力に応じた第２の信号量の第２信号に対する信号処理が施された第２の出力信号と、第１の出力信号とが、信号量を足し合わせた１つの信号に統合され、第２の他の信号処理装置に出力され、入力信号が、第１信号と、第３の信号量の第３信号とに分割される。そして、第１の信号量の第１の出力信号が生成され、第１の他の信号処理装置において、第３信号が、第２信号と第４の信号量の第４信号とに分割され、第２の信号量の第２の出力信号と、第３の他の信号処理装置からの第４の信号量の信号とが１つに統合された、第３の信号量の第３の出力信号と、第１の出力信号とが統合され、第２の他の信号処理装置に出力される。
【００２３】
本発明の第２の側面においては、入力信号の、自身の処理能力に応じた第１の信号量の第１信号に対する信号処理が施されて、第１の出力信号が生成され、第１の他の信号処理装置において、入力信号の、第１の他の信号処理装置の処理能力に応じた第２の信号量の第２信号に対する信号処理が施された第２の出力信号と、第１の出力信号とが、信号量を足し合わせた１つの信号に統合され、第２の他の信号処理装置に出力され、入力信号が、第１信号と、第３の信号量の第３信号とに分割される。そして、第１の信号量の第１の出力信号が生成され、第１の他の信号処理装置において、第３信号が、第２信号と第４の信号量の第４信号とに分割され、第２の信号量の第２の出力信号と、第３の他の信号処理装置からの第４の信号量の信号とが１つに統合された、第３の信号量の第３の出力信号と、第１の出力信号とが統合され、第２の他の信号処理装置に出力される。
【発明の効果】
【００２４】
本発明の第１および第２の側面によれば、信号処理システムにおいて、既存システムを廃棄せずに、信号の広帯域化に対応することができる。
【発明を実施するための最良の形態】
【００２５】
以下、本発明の実施の形態について図を参照して説明する。
【００２６】
図１は、本発明を適用した信号処理システムの一実施の形態の構成例を示している。
【００２７】
図１においては、状態φ−１乃至φ−４の、４つの状態の信号処理システムが示されている。状態φ−１の信号処理システムは、信号処理装置３１−１のみから構成され、状態φ−２の信号処理システムは、状態φ−１の信号処理システムに、信号処理装置３１−２が追加されて構成されている。状態φ−３の信号処理システムは、状態φ−２の信号処理システムに、信号処理装置３１−３が追加されて構成され、状態φ−４の信号処理システムは、状態φ−３の信号処理システムに、信号処理装置３１−４が追加されて構成されている。
【００２８】
なお、状態φ−１の信号処理システムのように、信号処理装置単体から構成される構成も、便宜上、信号処理システムと称することとし、以下も同様に扱うものとする。
【００２９】
図１において、信号処理装置３１−１は、最大１Byte（１Ｂ）の帯域の信号処理を行うことができ、帯域が１Byteの信号（以下、帯域１Ｂ信号などと称する）が入力されると、ユーザの操作による操作信号（図中、太破線）に応じて、所定の信号処理を施し、帯域１Ｂ信号を出力する。
【００３０】
信号処理装置３１−２は、単独では、信号処理装置３１−１と同様、最大１Ｂの帯域の信号処理を行うことができ、帯域１Ｂ信号が入力されると、ユーザの操作による操作信号に応じて、所定の信号処理を施し、帯域１Ｂ信号を出力する。
【００３１】
信号処理装置３１−３は、単独では、最大２Ｂの帯域の信号処理を行うことができ、帯域２Ｂ信号が入力されると、ユーザの操作による操作信号に応じて、所定の信号処理を施し、帯域２Ｂ信号を出力する。
【００３２】
信号処理装置３１−４は、単独では、最大４Ｂの帯域の信号処理を行うことができ、帯域４Ｂ信号が入力されると、ユーザの操作による操作信号に応じて、所定の信号処理を施し、帯域４Ｂ信号を出力する。
【００３３】
図１の信号処理システムは、図中、太線で示されるように、信号処理システムを構成する信号処理装置のうちのいずれかに入力された所定のフォーマットの入力信号に対して、操作信号に応じて、分担して信号処理を施し、それぞれの出力信号を統合して、出力する。
【００３４】
ここで、図１および図２を参照して、図１の信号処理システムを構成する信号処理装置３１−１乃至３１−４の、信号処理の分担について説明する。
【００３５】
図２は、図１の信号処理システムを構成する信号処理装置３１−１乃至３１−４の、信号処理の分担の概念を示している。
【００３６】
図２においては、左から順に、図１の状態φ−１乃至φ−４の信号処理システムにおける信号処理の分担の概念が示されている。
【００３７】
また、図２において、破線の枠に囲われている部分には、下から順に、入力信号の帯域幅、各信号処理装置が行う信号処理の帯域幅、出力信号の帯域幅が示されている。
【００３８】
まず、状態φ−１の信号処理システムは、図１に示されるように、信号処理装置３１−１のみから構成されている。信号処理装置３１−１は、図２に示されるように、入力信号である帯域１Ｂ信号に対して、１Ｂの帯域の信号処理を施し、帯域１Ｂ信号を出力信号として出力する。
【００３９】
状態φ−２の信号処理システムは、図１に示されるように、信号処理装置３１−１，３１−２から構成されている。信号処理装置３１−１，３１−２は、信号処理装置３１−１に入力された入力信号に対して、信号処理装置３１−２に入力された操作信号、および、その操作信号に基づいた制御信号（図中、細破線）に応じて、分担して信号処理を施す。すなわち、信号処理装置３１−１，３１−２はそれぞれ、操作信号および制御信号に応じて、図２に示されるように、入力信号である帯域１Ｂ信号のうちの0.5Ｂの帯域の信号処理を施し、それぞれの処理能力の上限の帯域（１Ｂ）になるように増幅（２倍）する。そして、信号処理装置３１−２は、図２に示されるように、信号処理装置３１−１，３１−２それぞれの信号処理により得られた帯域１Ｂ信号を統合した帯域２Ｂ信号を、出力信号として出力する。
【００４０】
このような構成により、状態φ−２の信号処理システムは、帯域１Ｂの入力信号が入力されると、それぞれの信号処理装置の処理能力（１Ｂ）を超えた帯域に拡大した、帯域２Ｂの出力信号を出力することができる。
【００４１】
状態φ−３の信号処理システムは、図１に示されるように、信号処理装置３１−１乃至３１−３から構成されている。信号処理装置３１−１乃至３１−３は、信号処理装置３１−１に入力された入力信号に対して、信号処理装置３１−３に入力された操作信号、および、その操作信号に基づいた制御信号に応じて、分担して信号処理を施す。すなわち、信号処理装置３１−１，３１−２はそれぞれ、制御信号に応じて、図２に示されるように、入力信号である帯域１Ｂ信号のうちの0.25Ｂの帯域の信号処理を施し、それぞれの処理能力の上限の帯域（１Ｂ）になるように増幅（４倍）する。また、信号処理装置３１−３は、操作信号に応じて、図２に示されるように、入力信号である帯域１Ｂ信号のうちの0.5Ｂの帯域の信号処理を施し、処理能力の上限の帯域（２Ｂ）になるように増幅（４倍）する。そして、信号処理装置３１−３は、図２に示されるように、信号処理装置３１−１，３１−２それぞれの信号処理により得られた帯域１Ｂ信号、および信号処理装置３１−３の信号処理により得られた帯域２Ｂ信号を統合した帯域４Ｂ信号を、出力信号として出力する。
【００４２】
このような構成により、状態φ−３の信号処理システムは、帯域１Ｂの入力信号が入力されると、それぞれの信号処理装置の処理能力（１Ｂまたは２Ｂ）を超えた帯域に拡大した、帯域４Ｂの出力信号を出力することができる。
【００４３】
状態φ−４の信号処理システムは、図１に示されるように、信号処理装置３１−１乃至３１−４から構成されている。信号処理装置３１−１乃至３１−４は、信号処理装置３１−１に入力された入力信号に対して、信号処理装置３１−４に入力された操作信号、および、その操作信号に基づいた制御信号に応じて、分担して信号処理を施す。すなわち、信号処理装置３１−１，３１−２はそれぞれ、制御信号に応じて、図２に示されるように、入力信号である帯域１Ｂ信号のうちの0.125Ｂの帯域の信号処理を施し、それぞれの処理能力の上限の帯域（１Ｂ）になるように増幅（８倍）する。また、信号処理装置３１−３は、制御信号に応じて、図２に示されるように、入力信号である帯域１Ｂ信号のうちの0.25Ｂの帯域の信号処理を施し、処理能力の上限の帯域（２Ｂ）になるように増幅（８倍）する。さらに、信号処理装置３１−４は、操作信号に応じて、図２に示されるように、入力信号である帯域１Ｂ信号のうちの0.5Ｂの帯域の信号処理を施し、処理能力の上限の帯域（４Ｂ）になるように増幅（８倍）する。そして、信号処理装置３１−４は、信号処理装置３１−１，３１−２それぞれの信号処理により得られた帯域１Ｂ信号、信号処理装置３１−３の信号処理により得られた帯域２Ｂ信号、および信号処理装置３１−４の信号処理により得られた帯域４Ｂ信号を統合した帯域８Ｂ信号を、出力信号として出力する。
【００４４】
このような構成により、状態φ−４の信号処理システムは、帯域１Ｂの入力信号が入力されると、それぞれの信号処理装置の処理能力（１Ｂ，２Ｂ、または４Ｂ）を超えた帯域に拡大した、帯域８Ｂの出力信号を出力することができる。
【００４５】
ここで、図３のブロック図を参照して、図１の信号処理システムの一例として、状態φ−３の信号処理システムの具体的な構成例について説明する。
【００４６】
なお、状態φ−３の信号処理システムを、図１の信号処理システムの一例として扱うのは、状態φ−３の信号処理システムが、状態φ−１およびφ−２の信号処理システムの構成を含み、また、状態φ−４の信号処理システムのように、４以上の信号処理装置から構成される場合でも、状態φ−３の信号処理システムと同様に説明できることによる。
【００４７】
図３の信号処理装置３１−１は、制御部５１−１および信号処理部５２−１から構成されている。信号処理装置３１−２は、制御部５１−２、信号処理部５２−２、および信号統合部５３−２から構成されている。信号処理装置３１−３は、制御部５１−３、信号処理部５２−３、および信号統合部５３−３から構成されている。
【００４８】
ここで、信号処理装置３１−１乃至３１−３を構成する各ブロックを示す番号の表記において、ハイフン（−）の後の数字は、信号処理装置３１−１乃至３１−３それぞれを示す番号の表記におけるハイフンの後の数字に対応する。すなわち、信号処理装置３１−１は、信号統合部を有しないので、信号統合部５３−１は存在しない。
【００４９】
信号処理装置３１−１の制御部５１−１は、信号処理装置３１−３の制御部５１−３から信号処理装置３１−２の制御部５１−２を介して供給される制御信号に応じて、入力信号に対して信号処理部５２−１が施す信号処理の処理帯域（帯域幅）を指示する旨の制御信号を、信号処理部５２−１に供給する。
【００５０】
信号処理部５２−１は、制御部５１−１からの制御信号を基に、入力信号のうちの、制御部５１−１により指示された処理帯域の入力信号に対して所定の信号処理を施す。信号処理部５２−１は、増幅部５２ａ−１を有し、増幅部５２ａ−１は、信号処理の処理結果を、信号処理部５２−１の処理能力の上限（１Ｂ）まで増幅して、信号処理装置３１−２の信号統合部５３−２に供給する。
【００５１】
信号処理装置３１−２の制御部５１−２は、信号処理装置３１−３の制御部５１−３から供給される制御信号に応じて、入力信号に対して信号処理部５２−２が施す信号処理の処理帯域を指示する旨の制御信号を、信号処理部５２−２に供給する。また、制御部５１−２は、信号統合部５３−２の動作を制御する。
【００５２】
信号処理部５２−２は、制御部５１−２からの制御信号を基に、入力信号のうちの、制御部５１−２により指示された処理帯域の入力信号に対して所定の信号処理を施す。信号処理部５２−２は、増幅部５２ａ−２を有し、増幅部５２ａ−２は、信号処理の処理結果を、信号処理部５２−２の処理能力の上限（１Ｂ）まで増幅して、信号統合部５３−２に供給する。
【００５３】
信号統合部５３−２は、制御部５１−２の制御の下、信号処理装置３１−１の信号処理部５２−１から供給された信号（帯域１Ｂ信号）と、信号処理部５２−２から供給された信号（帯域１Ｂ信号）とを統合する。信号統合部５３−２は、統合した帯域２Ｂ信号を、信号処理装置３１−３の信号統合部５３−３に供給する。
【００５４】
信号処理装置３１−３の制御部５１−３は、図示せぬ操作部から供給されるユーザの操作を表す操作信号と、信号処理部５２−１乃至５２−３の処理能力とに応じて、入力信号に対して信号処理部５２−１乃至５２−３が施す信号処理の処理帯域を決定する。制御部５１−３は、決定した処理帯域の信号処理を指示する旨の制御信号を、制御部５１−１，５１−２、および信号処理部５２−３に供給する。また、制御部５１−３は、信号統合部５３−３の動作を制御する。
【００５５】
すなわち、制御部５１−３は、信号処理システム全体を制御する。このように、図１の信号処理システムにおいては、新規に追加された信号処理装置（図中、一番上の信号処理装置）の制御部が、他の信号処理装置の制御部を制御することで、信号処理システム全体を制御する。
【００５６】
信号処理部５２−３は、制御部５１−３からの制御信号を基に、入力信号のうちの、制御部５１−３により指示された処理帯域の入力信号に対して所定の信号処理を施す。信号処理部５２−３は、増幅部５２ａ−３を有し、増幅部５２ａ−３は、信号処理の処理結果を、信号処理部５２−３の処理能力の上限（２Ｂ）まで増幅して、信号統合部５３−３に供給する。
【００５７】
信号統合部５３−３は、制御部５１−３の制御の下、信号処理装置３１−２の信号処理部５２−２から供給された信号（帯域２Ｂ信号）と、信号処理部５２−３から供給された信号（帯域２Ｂ信号）とを統合して、帯域４Ｂ信号として出力する。
【００５８】
次に、図４のフローチャートを参照して、図３の信号処理システムにおける信号処理について説明する。
【００５９】
ステップＳ３１において、信号処理装置３１−１の図示せぬ入力部は、帯域１Ｂ信号を入力する。このとき、入力された帯域１Ｂ信号は、信号処理装置３１−２，３１−３にも供給（分配）される。
【００６０】
ステップＳ５１において、信号処理装置３１−３の制御部５１−３は、図示せぬ操作部から供給されるユーザの操作を表す操作信号と、信号処理システムにおける信号処理部５２−１乃至５２−３の処理能力とに応じて、それぞれが分担する信号処理の処理帯域を決定し、それぞれに指示する。具体的には、制御部５１−３は、入力された帯域１Ｂ信号に対して、信号処理部５２−１乃至５２−３がそれぞれ、0.25Ｂ，0.25Ｂ，0.5Ｂの処理帯域の信号処理を行うことを決定し、その旨の制御信号を、制御部５１−１，５１−２、信号処理部５２−３それぞれに供給する。
【００６１】
ステップＳ３２において、信号処理装置３１−１の制御部５１−１は、制御部５１−３から制御部５１−２を介して供給された制御信号に応じて、信号処理部５２−１が施す信号処理の処理帯域0.25Ｂを認識し、その旨の制御信号を、信号処理部５２−１に供給する。
【００６２】
ステップＳ３３において、信号処理部５２−１は、制御部５１−２からの制御信号を基に、入力信号（帯域１Ｂ信号）のうちの、帯域0.25Ｂの入力信号に対して信号処理を施す。
【００６３】
ステップＳ３４において、信号処理部５２−１の増幅部５２ａ−１は、信号処理の結果得られた信号を、信号処理部５２−１の処理能力の上限（１Ｂ）まで増幅して、信号処理装置３１−２の信号統合部５３−２に供給する。
【００６４】
ステップＳ４１において、信号処理装置３１−２の制御部５１−２は、制御部５１−３から供給された制御信号に応じて、信号処理部５２−２が施す信号処理の処理帯域0.25Ｂを認識し、その旨の制御信号を、信号処理部５２−２に供給する。
【００６５】
ステップＳ４２において、信号処理部５２−２は、制御部５１−２からの制御信号を基に、入力信号（帯域１Ｂ信号）のうちの、帯域0.25Ｂの入力信号に対して信号処理を施す。
【００６６】
ステップＳ４３において、信号処理部５２−２の増幅部５２ａ−２は、信号処理の結果得られた信号を、信号処理部５２−２の処理能力の上限（１Ｂ）まで増幅して、信号統合部５３−２に供給する。
【００６７】
ステップＳ４４において、信号処理装置３１−２の信号統合部５３−２は、制御部５１−２の制御の下、信号処理装置３１−１の信号処理部５２−１から供給された信号（帯域１Ｂ信号）と、信号処理部５２−２から供給された信号（帯域１Ｂ信号）とを統合する。信号統合部５３−２は、統合した帯域２Ｂ信号を信号処理装置３１−３の信号統合部５３−３に供給する。
【００６８】
ステップＳ５２において、信号処理部５２−３は、制御部５１−３から供給された制御信号に応じて、信号処理部５２−３自身が施す信号処理の処理帯域0.5Ｂを認識する。
【００６９】
ステップＳ５３において、信号処理部５２−３は、認識した処理帯域を基に、入力信号（帯域１Ｂ信号）のうちの、帯域0.5Ｂの入力信号に対して信号処理を施す。
【００７０】
ステップＳ５４において、信号処理部５２−３の増幅部５２ａ−３は、信号処理の結果得られた信号を、信号処理部５２−３の処理能力の上限（２Ｂ）まで増幅して、信号統合部５３−３に供給する。
【００７１】
ステップＳ５５において、信号処理装置３１−３の信号統合部５３−３は、制御部５１−３の制御の下、信号処理装置３１−２の信号処理部５２−２から供給された信号（帯域２Ｂ信号）と、信号処理部５２−３から供給された信号（帯域２Ｂ信号）とを統合する。
【００７２】
ステップＳ５６において、信号統合部５３−３は、ステップＳ５５において統合した信号を、帯域４Ｂ信号として出力する。
【００７３】
以上の処理により、帯域１Ｂの入力信号を入力し、信号処理装置３１−１乃至３１−３それぞれの処理能力を超えた帯域まで拡大した、帯域４Ｂの出力信号を出力することができる。
【００７４】
したがって、図３の信号処理システムにおいては、帯域４Ｂの処理能力を有する信号処理装置を設けることなく、帯域１Ｂまたは２Ｂの処理能力を有する信号処理装置を組み合わせることで、帯域４Ｂまで出力信号の帯域を拡大することができる。結果として、出力信号の帯域の拡大が要求された場合でも、その帯域の処理能力を有さない既存システムを廃棄せずに、出力信号の広帯域化に対応することができる。
【００７５】
なお、制御部５１−３によって決定される信号処理部５２−１乃至５２−３が施す信号処理の処理帯域は、上述した値に限らず、信号処理部５２−１乃至５２−３それぞれが処理可能な帯域の範囲内であれば、その他の値であってもよい。
【００７６】
上述した説明においては、図１の状態φ−３の信号処理システムについて説明したが、図１の状態φ−２や状態φ−４の信号処理システムにおいても、図３と同様の構成を適用することで、図４と同様の信号処理を行うようにすることができる。さらに、信号処理システムを構成する信号処理装置の数を５以上にした場合でも、同様に扱うことができる。
【００７７】
また、上述した説明では、ステップＳ４４において、信号処理装置３１−２が帯域２Ｂ信号を信号処理装置３１−３に供給するようにしたが、信号処理装置３１−２が帯域２Ｂ信号をそのまま出力することもできる。同様にして、図１の状態φ−４の信号処理システムにおいては、信号処理装置３１−２が帯域２Ｂ信号をそのまま出力し、信号処理装置３１−３が帯域４Ｂ信号をそのまま出力することができる。
【００７８】
以上においては、入力信号の帯域に対しての、出力信号の帯域の拡大に対応する構成について説明してきたが、入力信号および出力信号の帯域の拡大に対応するようにすることもできる。
【００７９】
図５は、入力信号および出力信号の帯域の拡大に対応するようにした信号処理システムの構成例を示している。
【００８０】
図５においては、図１と同様に、状態φ−１乃至φ−４の、４つの状態の信号処理システムが示されている。状態φ−１の信号処理システムは、信号処理装置１３１−１のみから構成され、状態φ−２の信号処理システムは、状態φ−１の信号処理システムに、信号処理装置１３１−２が追加されて構成されている。状態φ−３の信号処理システムは、状態φ−２の信号処理システムに、信号処理装置１３１−３が追加されて構成され、状態φ−４の信号処理システムは、状態φ−３の信号処理システムに、信号処理装置１３１−４が追加されて構成されている。
【００８１】
図５において、信号処理装置１３１−１は、最大１Ｂの帯域の信号処理を行うことができ、帯域１Ｂ信号が入力されると、所定の信号処理を施し、帯域１Ｂ信号を出力する。
【００８２】
信号処理装置１３１−２は、単独では、信号処理装置１３１−１と同様、最大１Ｂの帯域の信号処理を行うことができ、帯域１Ｂ信号が入力されると、ユーザの操作による操作信号に応じて、所定の信号処理を施し、帯域１Ｂ信号を出力する。
【００８３】
信号処理装置１３１−３は、単独では、最大２Ｂの帯域の信号処理を行うことができ、帯域２Ｂ信号が入力されると、ユーザの操作による操作信号に応じて、所定の信号処理を施し、帯域２Ｂ信号を出力する。
【００８４】
信号処理装置１３１−４は、単独では、最大４Ｂの帯域の信号処理を行うことができ、帯域４Ｂ信号が入力されると、ユーザの操作による操作信号に応じて、所定の信号処理を施し、帯域４Ｂ信号を出力する。
【００８５】
図５の信号処理システムは、図中、太線で示されるように、信号処理システムを構成する信号処理装置のうちのいずれかに入力された入力信号を分割し、信号処理装置のうちのいずれかに入力された操作信号に応じて、分担して信号処理を施し、それぞれの出力信号を統合して、出力する。
【００８６】
ここで、図５の状態φ−１乃至φ−４の信号処理システムにおける信号処理の概要について説明する。
【００８７】
状態φ−１の信号処理システムは、図５に示されるように、信号処理装置１３１−１のみから構成されている。信号処理装置１３１−１は、入力信号である帯域１Ｂ信号に対して、１Ｂの帯域の信号処理を施し、帯域１Ｂ信号を出力信号として出力する。
【００８８】
状態φ−２の信号処理システムは、図５に示されるように、信号処理装置１３１−１，１３１−２から構成されている。信号処理装置１３１−１，１３１−２は、信号処理装置１３１−２に入力された入力信号を分割し、信号処理装置１３１−２に入力された操作信号、および、その操作信号に基づいた制御信号（図中、細破線）に応じて、分担して信号処理を施す。すなわち、信号処理装置１３１−１，１３１−２はそれぞれ、操作信号および制御信号に応じて、入力信号である帯域２Ｂ信号を分割した帯域１Ｂ信号それぞれに対して信号処理を施す。そして、信号処理装置１３１−２は、信号処理装置１３１−１，１３１−２それぞれの信号処理により得られた帯域１Ｂ信号を統合した帯域２Ｂ信号を、出力信号として出力する。
【００８９】
このような構成により、状態φ−２の信号処理システムは、帯域２Ｂの入力信号に対して、それぞれの信号処理装置の処理能力（１Ｂ）に応じた信号処理を施し、帯域２Ｂの出力信号を出力することができる。
【００９０】
状態φ−３の信号処理システムは、図５に示されるように、信号処理装置１３１−１乃至１３１−３から構成されている。信号処理装置１３１−１乃至１３１−３は、信号処理装置１３１−３に入力された入力信号を分割し、信号処理装置１３１−３に入力された操作信号、および、その操作信号に基づいた制御信号に応じて、分担して信号処理を施す。すなわち、信号処理装置１３１−３は、操作信号に応じて、入力信号である帯域４Ｂ信号を分割した帯域２Ｂ信号に対して信号処理を施す。また、信号処理装置１３１−１，１３１−２はそれぞれ、制御信号に応じて、信号処理装置１３１−３において、入力信号を分割した残りの帯域２Ｂ信号をさらに分割した帯域１Ｂ信号それぞれに対して信号処理を施す。そして、信号処理装置１３１−３は、信号処理装置１３１−１，１３１−２それぞれの信号処理により得られた帯域１Ｂ信号、および信号処理装置１３１−３の信号処理により得られた帯域２Ｂ信号を統合した帯域４Ｂ信号を、出力信号として出力する。
【００９１】
このような構成により、状態φ−３の信号処理システムは、帯域４Ｂの入力信号に対して、それぞれの信号処理装置の処理能力（１Ｂまたは２Ｂ）に応じた信号処理を施し、帯域４Ｂの出力信号を出力することができる。
【００９２】
状態φ−４の信号処理システムは、図５に示されるように、信号処理装置１３１−１乃至１３１−４から構成されている。信号処理装置１３１−１乃至１３１−４は、信号処理装置１３１−４に入力された入力信号を分割し、信号処理装置１３１−４に入力された操作信号、および、その操作信号に基づいた制御信号に応じて、分担して信号処理を施す。すなわち、信号処理装置１３１−４は、操作信号に応じて、入力信号である帯域８Ｂ信号を分割した帯域４Ｂ信号に対して信号処理を施す。また、信号処理装置１３１−３は、制御信号に応じて、信号処理装置１３１−４において、入力信号を分割した残りの帯域４Ｂ信号をさらに分割した帯域２Ｂ信号に対して信号処理を施す。さらに、信号処理装置１３１−１，１３１−２はそれぞれ、制御信号に応じて、信号処理装置１３１−３において、入力信号を分割した残りの帯域２Ｂ信号をさらに分割した帯域１Ｂ信号それぞれに対して信号処理を施す。そして、信号処理装置１３１−４は、信号処理装置１３１−１，１３１−２それぞれの信号処理により得られた帯域１Ｂ信号、信号処理装置１３１−３の信号処理により得られた帯域２Ｂ信号、および信号処理装置１３１−４の信号処理により得られた帯域４Ｂ信号を統合した帯域８Ｂ信号を、出力信号として出力する。
【００９３】
このような構成により、状態φ−４の信号処理システムは、帯域８Ｂの入力信号に対して、それぞれの信号処理装置の処理能力（１Ｂ，２Ｂ、または４Ｂ）に応じた信号処理を施し、帯域８Ｂの出力信号を出力することができる。
【００９４】
ここで、図６のブロック図を参照して、図５の信号処理システムの一例として、状態φ−３の信号処理システムの具体的な構成例について説明する。
【００９５】
なお、状態φ−３の信号処理システムを、図５の信号処理システムの一例として扱うのは、状態φ−３の信号処理システムが、状態φ−１およびφ−２の信号処理システムの構成を含み、また、状態φ−４の信号処理システムのように、４以上の信号処理装置から構成される場合でも、状態φ−３の信号処理システムと同様に説明できることによる。
【００９６】
図６の信号処理装置１３１−１は、制御部１５１−１および信号処理部１５３−１から構成されている。信号処理装置１３１−２は、制御部１５１−２、信号分割部１５２−２、信号処理部１５３−２、および信号統合部１５４−２から構成されている。信号処理装置３１−３は、制御部１５１−３、信号分割部１５２−３、信号処理部１５３−３、および信号統合部１５４−３から構成されている。
【００９７】
ここで、信号処理装置１３１−１乃至１３１−３を構成する各ブロックを示す番号の表記において、ハイフン（−）の後の数字は、信号処理装置１３１−１乃至１３１−３それぞれを示す番号の表記におけるハイフンの後の数字に対応する。すなわち、信号処理装置１３１−１は、信号分割部および信号統合部を有しないので、信号分割部１５２−１および信号統合部１５４−１は存在しない。
【００９８】
信号処理装置１３１−１の制御部１５１−１は、信号処理装置１３１−３の制御部１５１−３から信号処理装置１３１−２の制御部１５１−２を介して供給される制御信号に応じて、入力信号を分割したうちの信号処理部１５３−１が施す信号処理の処理帯域を指示する旨の制御信号を、信号処理部１５３−１に供給する。
【００９９】
信号処理部１５３−１は、制御部１５１−１からの制御信号を基に、入力信号のうちの、制御部１５１−１により指示された処理帯域の入力信号に対して所定の信号処理を施し、その処理結果を、信号処理装置１３１−２の信号統合部１５４−２に供給する。
【０１００】
信号処理装置１３１−２の制御部１５１−２は、信号処理装置１３１−３の制御部１５１−３から供給される制御信号に応じて、入力信号を分割したうちの信号処理部１５３−２が施す信号処理の処理帯域を指示する旨の制御信号を、信号分割部１５２−２および信号処理部１５３−２に供給する。また、制御部１５１−２は、信号統合部１５４−２の動作を制御する。
【０１０１】
信号分割部１５２−２は、制御部１５１−２からの制御信号を基に、信号処理装置１３１−３の信号分割部１５２−３から供給された入力信号を、信号処理部１５３−２が信号処理を施す処理帯域に分割し、信号処理部１５３−２に供給する。また、信号分割部１５２−２は、信号分割部１５２−３から供給された入力信号を分割した残りの処理帯域の入力信号を、信号処理装置１３１−１の信号処理部１５３−１に供給する。
【０１０２】
信号処理部１５３−２は、制御部１５１−２からの制御信号を基に、信号分割部１５２−２から供給された入力信号に対して所定の信号処理を施し、その処理結果を、信号統合部１５４−２に供給する。
【０１０３】
信号統合部１５４−２は、制御部１５１−２の制御の下、信号処理装置１３１−１の信号処理部１５３−１から供給された信号（帯域１Ｂ信号）と、信号処理部１５３−２から供給された信号（帯域１Ｂ信号）とを統合する。信号統合部１５４−２は、統合した帯域２Ｂ信号を信号処理装置１３１−３の信号統合部１５４−３に供給する。
【０１０４】
信号処理装置１３１−３の制御部１５１−３は、図示せぬ操作部から供給されるユーザの操作を表す操作信号と、信号処理部１５３−１乃至１５３−３の処理能力に応じて、入力信号に対して信号処理部１５３−１乃至１５３−３が施す信号処理の処理帯域を決定する。制御部１５１−３は、決定した処理帯域の信号処理を指示する旨の制御信号を、制御部１５１−１，１５１−２、信号分割部１５２−３、および信号処理部１５３−３に供給する。また、制御部１５１−３は、信号統合部１５４−３の動作を制御する。
【０１０５】
すなわち、制御部１５１−３は、信号処理システム全体を制御する。このように、図５の信号処理システムにおいては、新規に追加された信号処理装置（図中、一番上の信号処理装置）の制御部が、他の信号処理装置の制御部を制御することで、信号処理システム全体を制御する。
【０１０６】
信号分割部１５２−３は、制御部１５１−３からの制御信号を基に、入力信号を、信号処理部１５３−３が信号処理を施す処理帯域に分割し、信号処理部１５３−３に供給する。また、信号分割部１５２−３は、入力信号を分割した残りの処理帯域の入力信号を、信号処理装置１３１−２の信号分割部１５２−２に供給する。
【０１０７】
信号処理部１５３−３は、制御部１５１−３からの制御信号を基に、信号分割部１５２−３から供給された入力信号に対して所定の信号処理を施し、その処理結果を、信号統合部１５４−３に供給する。
【０１０８】
信号統合部１５４−３は、制御部１５１−３の制御の下、信号処理装置１３１−２の信号処理部１５３−２から供給された信号（帯域２Ｂ信号）と、信号処理部１５３−３から供給された信号（帯域２Ｂ信号）とを統合して、帯域４Ｂ信号として出力する。
【０１０９】
次に、図７のフローチャートを参照して、図６の信号処理システムにおける信号処理について説明する。
【０１１０】
ステップＳ７１において、信号処理装置１３１−３の図示せぬ入力部は、帯域４Ｂ信号を入力する。
【０１１１】
ステップＳ７２において、信号処理装置１３１−３の制御部１５１−３は、図示せぬ操作部から供給されるユーザの操作を表す操作信号と、信号処理システムにおける信号処理部１５３−１乃至１５３−３の処理能力とに応じて、それぞれが分担する信号処理の処理帯域を決定し、それぞれに指示する。具体的には、制御部１５１−３は、入力された帯域４Ｂ信号に対して、信号処理部１５３−１乃至１５３−３がそれぞれ、１Ｂ，１Ｂ，２Ｂの処理帯域の信号処理を行うことを決定し、その旨の制御信号を、制御部１５１−１，１５１−２、信号分割部１５２−３、信号処理部１５３−３それぞれに供給する。
【０１１２】
ステップＳ７３において、信号分割部１５２−３は、制御部１５１−３からの制御信号を基に、信号処理部１５３−３が信号処理を施す処理帯域２Ｂを認識する。
【０１１３】
ステップＳ７４において、信号分割部１５２−３は、入力信号である帯域４Ｂ信号を、認識した処理帯域２Ｂに分割し、信号処理部１５３−３に供給する。また、信号分割部１５２−３は、入力信号である帯域４Ｂ信号を分割した残りの処理帯域２Ｂの入力信号を、信号処理装置１３１−２の信号分割部１５２−２に供給する。
【０１１４】
ステップＳ７５において、信号処理部１５３−３は、制御部１５１−３からの制御信号を基に、信号分割部１５２−３から供給された入力信号（帯域２Ｂ信号）に対して所定の信号処理を施し、その処理結果を、信号統合部１５４−３に供給する。
【０１１５】
ステップＳ８１において、信号処理装置１３１−２の制御部１５１−２は、信号処理装置１３１−３の制御部１５１−３から供給された制御信号に応じて、信号処理部１５３−２が施す信号処理の処理帯域２Ｂを認識し、その旨の制御信号を、信号分割部１５２−２および信号処理部１５３−２に供給する。
【０１１６】
ステップＳ８２において、信号分割部１５２−２は、制御部１５１−２からの制御信号を基に、信号分割部１５２−２から供給された入力信号（帯域２Ｂ信号）を、信号処理部１５３−２が信号処理を施す処理帯域１Ｂに分割し、信号処理部１５３−２に供給する。また、信号分割部１５２−２は、帯域２Ｂ信号を分割した残りの処理帯域１Ｂの入力信号を、信号処理装置１３１−１の信号処理部１５３−１に供給する。
【０１１７】
ステップＳ８３において、信号処理部１５３−２は、制御部１５１−２からの制御信号を基に、信号分割部１５２−２から供給された入力信号（帯域１Ｂ信号）に対して所定の信号処理を施し、その処理結果を、信号統合部１５４−２に供給する。
【０１１８】
ステップＳ９１において、信号処理装置１３１−１の制御部１５１−１は、信号処理装置１３１−３の制御部１５１−３から信号処理装置１３１−２の制御部１５１−２を介して供給された制御信号に応じて、信号処理部１５３−１が施す信号処理の処理帯域１Ｂを認識し、その旨の制御信号を、信号処理部１５３−１に供給する。
【０１１９】
ステップＳ９２において、信号処理部１５３−１は、制御部１５１−１からの制御信号を基に、信号分割部１５２−２から供給された入力信号（帯域１Ｂ信号）に対して所定の信号処理を施し、その処理結果を、信号処理装置１３１−２の信号統合部１５４−２に供給する。
【０１２０】
ステップＳ８４において、信号統合部１５４−２は、制御部１５１−２の制御の下、信号処理装置１３１−１の信号処理部１５３−１から供給された信号（帯域１Ｂ信号）と、信号処理部１５３−２から供給された信号（帯域１Ｂ信号）とを統合する。信号統合部１５４−２は、統合した帯域２Ｂ信号を信号処理装置１３１−３の信号統合部１５４−３に供給する。
【０１２１】
ステップＳ７６において、信号統合部１５４−３は、制御部１５１−３の制御の下、信号処理装置１３１−２の信号処理部１５３−２から供給された信号（帯域２Ｂ信号）と、信号処理部１５３−３から供給された信号（帯域２Ｂ信号）とを統合する。
【０１２２】
ステップＳ７７において、信号統合部１５４−３は、ステップＳ７６において統合した帯域４Ｂ信号を出力する。
【０１２３】
以上の処理により、帯域４Ｂの入力信号に対して、信号処理装置１３１−１乃至１３１−３それぞれの処理能力に応じた信号処理を施し、帯域４Ｂの出力信号を出力することができる。
【０１２４】
したがって、図６の信号処理システムにおいては、帯域４Ｂの処理能力を有する信号処理装置を設けることなく、帯域１Ｂまたは２Ｂの処理能力を有する信号処理装置を組み合わせることで、帯域４Ｂの入力信号に対して、帯域４Ｂの出力信号を出力することができる。結果として、入力信号および出力信号の帯域の拡大が要求された場合でも、その帯域の処理能力を有さない既存システムを廃棄せずに、入力信号および出力信号の広帯域化に対応することができる。
【０１２５】
なお、制御部１５１−３によって決定される信号処理部１５３−１乃至１５３−３が施す信号処理の処理帯域は、上述した値に限らず、信号処理部１５３−１乃至１５３−３それぞれが処理可能な帯域の範囲内であれば、その他の値であってもよい。
【０１２６】
上述した説明においては、図５の状態φ−３の信号処理システムについて説明したが、図５の状態φ−２や状態φ−４の信号処理システムにおいても、図６と同様の構成を適用することで、図７と同様の信号処理を行うようにすることができる。さらに、信号処理システムを構成する信号処理装置の数を５以上にした場合でも、同様に扱うことができる。
【０１２７】
また、上述した説明では、ステップＳ８４において、信号処理装置１３１−２が帯域２Ｂ信号を信号処理装置１３１−３に供給するようにしたが、信号処理装置１３１−２が帯域２Ｂ信号をそのまま出力することもできる。同様にして、図５の状態φ−４の信号処理システムにおいては、信号処理装置１３１−２が帯域２Ｂ信号をそのまま出力し、信号処理装置１３１−３が帯域４Ｂ信号をそのまま出力することができる。
【０１２８】
以上においては、入力信号および出力信号の帯域の拡大に対応する構成について説明してきたが、入力信号の帯域のみの拡大に対応するようにすることもできる。
【０１２９】
図８は、入力信号の帯域のみを拡大するようにした信号処理システムの構成例を示している。
【０１３０】
図８に示される状態φ−１乃至φ−４の信号処理システムは、図５を参照して説明した信号処理システムと同様の構成とされる。
【０１３１】
図８の信号処理システムは、図中、太線で示されるように、信号処理システムを構成する信号処理装置のうちのいずれかに入力された入力信号を分割し、所定の信号処理装置が狭帯域の信号処理を施して、出力する。
【０１３２】
ここで、図８の状態φ−１乃至φ−４の信号処理システムにおける信号処理の概要について説明する。
【０１３３】
図８の状態φ−１の信号処理システムは、図５における状態φ−１の信号処理システムと同様の動作を行うので、その説明は省略する。
【０１３４】
図８の状態φ−２の信号処理システムにおいて、信号処理装置１３１−１，１３１−２は、信号処理装置１３１−２に入力された入力信号を分割し、信号処理装置１３１−２に入力された操作信号、および、その操作信号に基づいた制御信号（図中、細破線）に応じて信号処理を施す。すなわち、信号処理装置１３１−２は、操作信号に応じて、入力信号である帯域２Ｂ信号を分割し、信号処理装置１３１−１は、制御信号に応じて、分割した帯域１Ｂ信号に対して信号処理を施した帯域１Ｂ信号を、出力信号として出力する。
【０１３５】
このような構成により、状態φ−２の信号処理システムは、帯域２Ｂの入力信号に対して、所定の信号処理装置の処理能力（１Ｂ）に応じた信号処理を施し、帯域１Ｂの出力信号を出力することができる。
【０１３６】
図８の状態φ−３の信号処理システムにおいて、信号処理装置１３１−１乃至１３１−３は、信号処理装置１３１−３に入力された入力信号を分割し、信号処理装置１３１−３に入力された操作信号、および、その操作信号に基づいた制御信号に応じて信号処理を施す。すなわち、信号処理装置１３１−３は、操作信号に応じて、入力信号である帯域４Ｂ信号を分割し、信号処理装置１３１−２は、制御信号に応じて、帯域４Ｂ信号を分割した帯域２Ｂ信号をさらに分割する。そして、信号処理装置１３１−１は、制御信号に応じて、帯域２Ｂ信号をさらに分割した帯域１Ｂ信号に対して信号処理を施した帯域１Ｂ信号を、出力信号として出力する。
【０１３７】
このような構成により、状態φ−３の信号処理システムは、帯域４Ｂの入力信号に対して、所定の信号処理装置の処理能力（１Ｂ）に応じた信号処理を施し、帯域１Ｂの出力信号を出力することができる。
【０１３８】
図８の状態φ−４の信号処理システムにおいて、信号処理装置１３１−１乃至１３１−４は、信号処理装置１３１−４に入力された入力信号を分割し、信号処理装置１３１−４に入力された操作信号、および、その操作信号に基づいた制御信号に応じて信号処理を施す。すなわち、信号処理装置１３１−４は、操作信号に応じて、入力信号である帯域８Ｂ信号を分割し、信号処理装置１３１−３は、制御信号に応じて、帯域８Ｂ信号を分割した帯域４Ｂ信号をさらに分割する。信号処理装置１３１−２は、制御信号に応じて、帯域４Ｂ信号を分割した帯域２Ｂ信号をさらに分割し、信号処理装置１３１−１は、制御信号に応じて、帯域２Ｂ信号をさらに分割した帯域１Ｂ信号に対して信号処理を施した帯域１Ｂ信号を、出力信号として出力する。
【０１３９】
このような構成により、状態φ−４の信号処理システムは、帯域８Ｂの入力信号に対して、所定の信号処理装置の処理能力（１Ｂ）に応じた信号処理を施し、帯域１Ｂの出力信号を出力することができる。
【０１４０】
次に、図９のフローチャートを参照して、図８の状態φ−３の信号処理システムにおける信号処理について説明する。なお、図８の状態φ−３の信号処理システムの具体的な構成例は、図６のブロック図と同様であるので、その説明は省略する。
【０１４１】
ステップＳ１０１において、信号処理装置１３１−３の図示せぬ入力部は、帯域４Ｂ信号を入力する。
【０１４２】
ステップＳ１０２において、信号処理装置１３１−３の制御部１５１−３は、図示せぬ操作部から供給されるユーザの操作を表す操作信号と、信号処理システムにおける信号処理部１５３−１乃至１５３−３の処理能力とに応じて、所定の信号処理装置における信号処理の処理帯域を決定し、指示する。具体的には、制御部１５１−３は、入力された帯域４Ｂ信号に対して、信号処理部１５３−１のみが、１Ｂの処理帯域の信号処理を行うことを決定し、その旨の制御信号を、制御部１５１−１，１５１−２、および信号分割部１５２−３に供給する。
【０１４３】
ステップＳ１０３において、信号分割部１５２−３は、制御部１５１−３からの制御信号を基に、信号処理部１５３−１が信号処理を施す処理帯域１Ｂを認識する。このとき、信号分割部１５２−３は、信号処理部１５３−３が信号処理を行わないことも併せて認識する。
【０１４４】
ステップＳ１０４において、信号分割部１５２−３は、入力信号である帯域４Ｂ信号を、処理帯域２Ｂに分割し、信号処理装置１３１−２の信号分割部１５２−２に供給する。
【０１４５】
ステップＳ１１１において、信号処理装置１３１−２の制御部１５１−２は、信号処理装置１３１−３の制御部１５１−３から供給された制御信号に応じて、信号処理部１５３−１が施す信号処理の処理帯域１Ｂを認識し、その旨の制御信号を、信号分割部１５２−２に供給する。制御部１５１−２は、信号処理部１５３−２が信号処理を行わないことも併せて認識する。
【０１４６】
ステップＳ１１２において、信号分割部１５２−２は、制御部１５１−２からの制御信号を基に、信号分割部１５２−３から供給された入力信号（帯域２Ｂ信号）を、信号処理部１５３−１が信号処理を施す処理帯域（１Ｂ）に分割し、信号処理装置１３１−１の信号処理部１５３−１に供給する。
【０１４７】
ステップＳ１２１において、信号処理装置１３１−１の制御部１５１−１は、信号処理装置１３１−３の制御部１５１−３から信号処理装置１３１−２の制御部１５１−２を介して供給された制御信号に応じて、信号処理部１５３−１が施す信号処理の処理帯域１Ｂを認識し、その旨の制御信号を、信号処理部１５３−１に供給する。
【０１４８】
ステップＳ１２２において、信号処理部１５３−１は、制御部１５１−１からの制御信号を基に、信号分割部１５２−２から供給された入力信号（帯域１Ｂ信号）に対して所定の信号処理を施す。
【０１４９】
ステップＳ１２３において、信号処理部１５３−１は、ステップＳ１２２において得られた帯域１Ｂ信号を出力する。
【０１５０】
以上の処理により、帯域４Ｂの入力信号に対して、信号処理装置１３１−１の処理能力に応じた信号処理を施し、帯域１Ｂの出力信号を出力することができる。
【０１５１】
したがって、図８の信号処理システムにおいては、帯域４Ｂの処理能力を有する信号処理装置を設けることなく、帯域１Ｂまたは２Ｂの処理能力を有する信号処理装置を組み合わせることで、帯域４Ｂの入力信号に対して、帯域１Ｂの出力信号を出力することができる。結果として、入力信号の帯域のみの拡大が要求され、出力側の装置がその帯域に対応していない場合でも、既存システムを廃棄せずに、入力信号の広帯域化に対応することができる。
【０１５２】
上述した説明においては、図８の状態φ−３の信号処理システムについて説明したが、図８の状態φ−２や状態φ−４の信号処理システムにおいても、図７と同様の信号処理を行うようにすることができる。さらに、信号処理システムを構成する信号処理装置の数を５以上にした場合でも、同様に扱うことができる。
【０１５３】
また、上述した説明では、信号処理装置１３１−１が帯域１Ｂ信号を出力するようにしたが、信号処理装置１３１−２が帯域２Ｂ信号を出力するようにしてもよい。同様にして、図８の状態φ−４の信号処理システムにおいては、信号処理装置１３１−２が帯域２Ｂ信号を出力したり、信号処理装置１３１−３が帯域４Ｂ信号を出力してもよい。
【０１５４】
以上、出力信号の帯域の拡大に対応した構成、入力信号および出力信号の帯域の拡大に対応した構成、並びに入力信号の帯域の拡大に対応した構成について説明してきたが、それぞれの構成の機能を併せて実現するようにすることもできる。
【０１５５】
図１０は、出力信号の帯域の拡大、入力信号および出力信号の帯域の拡大、並びに入力信号の帯域の拡大に対応するようにした信号処理システムの構成例を示している。
【０１５６】
図１０の信号処理装置２３１−１は、制御部２５１−１、スイッチ（ＳＷ）２５２−１、信号処理部２５５−１から構成されている。信号処理装置２３１−２は、制御部２５１−２、ＳＷ２５２−２、信号分割部２５３−２、ＳＷ２５４−２、信号処理部２５５−２、および信号統合部２５６−２から構成されている。信号処理装置２３１−３は、制御部２５１−３、信号分割部２５３−３、ＳＷ２５４−３、信号処理部２５５−３、および信号統合部２５６−３から構成されている。
【０１５７】
ここで、信号処理装置２３１−１乃至２３１−３を構成する各ブロックを示す番号の表記において、ハイフン（−）の後の数字は、信号処理装置２３１−１乃至２３１−３それぞれを示す番号の表記におけるハイフンの後の数字に対応する。すなわち、例えば、信号処理装置２３１−１は、信号分割部や信号統合部を有しないので、信号分割部２５３−１および信号統合部２５６−１は存在しない。
【０１５８】
信号処理装置２３１−１の制御部２５１−１は、図３の制御部５１−１や図６の制御部１５１−１と同様の機能を有する他、ユーザの操作を表す操作信号や他の制御部からの制御信号に応じて、ＳＷ２５２−１の制御を行う。
【０１５９】
ＳＷ２５２−１は、制御部２５１−１の制御に基づいて、図示せぬ入力部からの帯域１Ｂ信号または信号分割部２５３−２からの帯域１Ｂ信号の入力を切り替え、信号処理部２５５−１に供給する。例えば、操作信号によって、図１０の信号処理システムが、出力信号の帯域拡大に対応するモードとされている場合、ＳＷ２５２−１は、図示せぬ入力部からの帯域１Ｂ信号を入力する。また、入力信号および出力信号の帯域拡大、または、入力信号のみの帯域拡大に対応するモードとされている場合、ＳＷ２５２−１は、信号分割部２５３−２からの帯域１Ｂ信号を入力する。
【０１６０】
信号処理部２５５−１は、制御部２５１−１からの制御信号を基に、ＳＷ２５２−１からの帯域１Ｂの入力信号に対して所定の信号処理を施し、信号処理装置２３１−２の信号統合部２５６−２に供給するか、または、外部に出力する。なお、操作信号によって、図１０の信号処理システムが、出力信号の帯域拡大に対応するモードとされている場合、信号処理部２５５−１が有する増幅部２５５ａ−１は、信号処理の結果を、信号処理部２５５−１の処理能力の上限（１Ｂ）まで増幅して、信号統合部２５６−２に供給する。
【０１６１】
信号処理装置２３１−２の制御部２５１−２は、図３の制御部５１−２および図６の制御部１５１−２と同様の機能を併せ持つ他、ユーザの操作を表す操作信号や他の制御部からの制御信号に応じて、ＳＷ２５２−２およびＳＷ２５４−２の制御を行う。
【０１６２】
ＳＷ２５２−２は、制御部２５１−２の制御に基づいて、図示せぬ入力部からの帯域２Ｂ信号または信号分割部２５３−３からの帯域２Ｂ信号の入力を切り替え、信号分割部２５３−１に供給する。例えば、操作信号によって、図１０の信号処理システムが、入力信号および出力信号の帯域拡大、または、入力信号のみの帯域拡大に対応するモードとされている場合、信号処理システムへの入力信号が帯域２Ｂ信号であるとき、ＳＷ２５２−２は、図示せぬ入力部からの帯域２Ｂ信号を入力する。また、入力信号および出力信号の帯域拡大、または、入力信号のみの帯域拡大に対応するモードとされている場合、信号処理システムへの入力信号が、例えば帯域４Ｂ信号であるとき、ＳＷ２５２−２は、信号分割部２５３−３からの帯域２Ｂ信号を入力する。
【０１６３】
信号分割部２５３−２は、制御部２５１−２の制御に基づいて、図１０の信号処理システムが、入力信号および出力信号の帯域拡大、または、入力信号のみの帯域拡大に対応するモードとされている場合、ＳＷ２５２−２から供給された入力信号（帯域２Ｂ信号）を、信号処理部２５５−２が信号処理を施す処理帯域１Ｂに分割し、ＳＷ２５４−２に供給する。また、信号分割部２５３−２は、ＳＷ２５２−２から供給された入力信号を分割した残りの処理帯域１Ｂの入力信号を、信号処理装置２３１−１のＳＷ２５２−１に供給する。
【０１６４】
ＳＷ２５４−２は、制御部２５１−２の制御に基づいて、信号処理装置２３１−１から分配されてきた帯域１Ｂ信号または信号分割部２５３−２からの帯域１Ｂ信号の入力を切り替え、信号処理部２５５−２に供給する。例えば、操作信号によって、図１０の信号処理システムが、出力信号の帯域拡大に対応するモードとされている場合、ＳＷ２５４−２は、信号処理装置２３１−１から分配されてきた帯域１Ｂ信号を入力する。また、入力信号および出力信号の帯域拡大に対応するモードとされている場合、ＳＷ２５４−２は、信号分割部２５３−２からの帯域１Ｂ信号を入力する。なお、入力信号のみの帯域拡大に対応するモードとされている場合には、ＳＷ２５４−２は、信号分割部２５３−２からの帯域１Ｂ信号を入力しない。
【０１６５】
信号処理部２５５−２は、制御部２５１−２からの制御信号を基に、ＳＷ２５２−２からの入力信号（帯域１Ｂ信号）に対して所定の信号処理を施し、信号統合部２５６−２に供給する。なお、操作信号によって、図１０の信号処理システムが、出力信号の帯域拡大に対応するモードとされている場合、信号処理部２５５−２が有する増幅部２５５ａ−２は、信号処理の結果を、信号処理部２５５−２の処理能力の上限（１Ｂ）まで増幅して、信号統合部２５６−２に供給する。
【０１６６】
信号統合部２５６−２は、制御部２５１−２の制御の下、信号処理装置２３１−１の信号処理部２５５−１から供給された信号（帯域１Ｂ信号）と、信号処理部２５５−２から供給された信号（帯域１Ｂ信号）とを統合して、帯域２Ｂ信号として信号処理装置２３１−３の信号統合部２５６−３に供給するか、または、外部に出力する。
【０１６７】
信号処理装置２３１−３の制御部２５１−３は、図３の制御部５１−３および図６の制御部１５１−３と同様の機能を併せ持つ他、ユーザの操作を表す操作信号や他の制御部からの制御信号に応じて、ＳＷ２５４−３の制御を行う。
【０１６８】
信号分割部２５３−３は、制御部２５１−３の制御に基づいて、図１０の信号処理システムが、入力信号および出力信号の帯域拡大、または、入力信号のみの帯域拡大に対応するモードとされている場合、図示せぬ入力部から入力された入力信号（帯域４Ｂ信号）を、信号処理部２５５−３が信号処理を施す処理帯域２Ｂに分割し、ＳＷ２５４−３に供給する。また、信号分割部２５３−３は、入力信号を分割した残りの処理帯域（１Ｂ）の入力信号を、信号処理装置２３１−２のＳＷ２５２−２に供給する。
【０１６９】
ＳＷ２５４−３は、制御部２５１−３の制御に基づいて、信号処理装置２３１−１から分配されてきた帯域１Ｂ信号または信号分割部２５３−３からの帯域２Ｂ信号の入力を切り替え、信号処理部２５５−３に供給する。例えば、操作信号によって、図１０の信号処理システムが、出力信号の帯域拡大に対応するモードとされている場合、ＳＷ２５４−３は、信号処理装置２３１−１から分配されてきた帯域１Ｂ信号を入力する。また、入力信号および出力信号の帯域拡大に対応するモードとされている場合、ＳＷ２５４−３は、信号分割部２５３−３からの帯域２Ｂ信号を入力する。なお、入力信号のみの帯域拡大に対応するモードとされている場合には、ＳＷ２５４−３は、信号分割部２５３−３からの帯域２Ｂ信号を入力しない。
【０１７０】
信号処理部２５５−３は、制御部２５１−３からの制御信号を基に、ＳＷ２５４−３からの入力信号に対して所定の信号処理を施し、信号統合部２５６−３に供給する。なお、操作信号によって、図１０の信号処理システムが、出力信号の帯域拡大に対応するモードとされている場合、信号処理部２５５−３が有する増幅部２５５ａ−３は、信号処理の結果を、信号処理部２５５−３の処理能力の上限（２Ｂ）まで増幅して、信号統合部２５６−３に供給する。
【０１７１】
信号統合部２５６−３は、制御部２５１−３の制御の下、信号処理装置２３１−２の信号処理部２５５−２から供給された信号（帯域２Ｂ信号）と、信号処理部２５５−３から供給された信号（帯域２Ｂ信号）とを統合して、帯域４Ｂ信号として出力する。
【０１７２】
このような構成により、出力信号の帯域の拡大、入力信号および出力信号の帯域の拡大、並びに入力信号のみの帯域の拡大のいずれにも対応することができる。
【０１７３】
なお、図１０の信号処理システムにおいては、出力信号の帯域の拡大に対応した信号処理は、ＳＷ２５２−１，２５２−２，ＳＷ２５４−２，２５４−３が入力を切り替える点以外は、図４のフローチャートを参照して説明した、図３の信号処理システムによる信号処理と同様にして行われるので、その説明は省略する。
【０１７４】
したがって、図１０の信号処理システムにおいても、帯域４Ｂの処理能力を有する信号処理装置を設けることなく、帯域１Ｂまたは２Ｂの処理能力を有する信号処理装置を組み合わせることで、帯域４Ｂまで出力信号の帯域を拡大することができる。結果として、出力信号の帯域の拡大が要求された場合でも、その帯域の処理能力を有さない既存システムを廃棄せずに、出力信号の広帯域化に対応することができる。
【０１７５】
また、図１０の信号処理システムにおいては、入力信号および出力信号の帯域の拡大に対応した信号処理は、ＳＷ２５２−１，２５２−２，ＳＷ２５４−２，２５４−３が入力を切り替える点以外は、図７のフローチャートを参照して説明した、図６の信号処理システムによる信号処理と同様にして行われるので、その説明は省略する。
【０１７６】
したがって、図１０の信号処理システムにおいても、帯域４Ｂの処理能力を有する信号処理装置を設けることなく、帯域１Ｂまたは２Ｂの処理能力を有する信号処理装置を組み合わせることで、帯域４Ｂの入力信号に対して、帯域４Ｂの出力信号を出力することができる。結果として、入力信号および出力信号の帯域の拡大が要求された場合でも、その帯域の処理能力を有さない既存システムを廃棄せずに、入力信号および出力信号の広帯域化に対応することができる。
【０１７７】
さらに、図１０の信号処理システムにおいては、入力信号のみの帯域の拡大に対応した信号処理は、ＳＷ２５２−１，２５２−２，ＳＷ２５４−２，２５４−３が入力を切り替える点以外は、図９のフローチャートを参照して説明した、図６の信号処理システムによる信号処理と同様にして行われるので、その説明は省略する。
【０１７８】
したがって、図１０の信号処理システムにおいても、帯域４Ｂの処理能力を有する信号処理装置を設けることなく、帯域１Ｂまたは２Ｂの処理能力を有する信号処理装置を組み合わせることで、帯域４Ｂの入力信号に対して、帯域１Ｂの出力信号を出力することができる。結果として、入力信号の帯域のみの拡大が要求され、出力側の装置がその帯域に対応していない場合でも、既存システムを廃棄せずに、入力信号の広帯域化に対応することができる。
【０１７９】
上述した説明においては、信号処理システムを構成する信号処理装置の数が３である場合について説明したが、信号処理システムを構成する信号処理装置の数を２、または４以上にした場合でも、図１０と同様の構成を適用することで、同様に扱うことができる。
【０１８０】
以上においては、所定のフォーマットの入力信号に対して所定の信号処理を施し、出力信号を出力する信号処理システムについて説明してきたが、上述した構成は、例えば、テレビジョン受像機に適用することができる。
【０１８１】
図１１は、本発明を適用したテレビジョン受像機の構成例を示している。
【０１８２】
図１１においては、４つの状態のテレビジョン受像機が示されている。図１１中一番左に示されているテレビジョン受像機は、映像信号処理部３３１−１および映像表示デバイス３３２から構成されている。図１１中左から２番目に示されているテレビジョン受像機は、一番左に示されているテレビジョン受像機に、映像信号処理部３３１−２が追加されて構成されている。図１１中左から３番目に示されているテレビジョン受像機は、左から２番目に示されているテレビジョン受像機に、映像信号処理部３３１−３が追加されて構成されている。図１１中一番右に示されているテレビジョン受像機は、左から３番目に示されているテレビジョン受像機に、映像信号処理部３３１−４が追加されて構成されている。
【０１８３】
図１１において、映像信号処理部３３１−１は、SD信号に対する信号処理を行うことができ、SD信号が入力されると、ユーザの操作による操作信号（図中、太破線）に応じて、所定の映像信号処理を施し、SD信号を出力する。
【０１８４】
映像信号処理部３３１−２は、単独では、映像信号処理部３３１−１と同様、SD信号に対する信号処理を行うことができ、SD信号が入力されると、ユーザの操作による操作信号に応じて、所定の映像信号処理を施し、SD信号を出力する。
【０１８５】
映像信号処理部３３１−３は、単独では、HD信号に対する信号処理を行うことができ、HD信号が入力されると、ユーザの操作による操作信号に応じて、所定の映像信号処理を施し、HD信号を出力する。
【０１８６】
映像信号処理部３３１−４は、単独では、HDp（HDプログレッシブ）信号に対する信号処理を行うことができ、HDp信号が入力されると、ユーザの操作による操作信号に応じて、所定の映像信号処理を施し、HDp信号を出力する。
【０１８７】
また、図１１における映像信号処理部３３１−１乃至３３１−４はそれぞれ、図１の信号処理装置３１−１乃至３１−４、および、図５の信号処理装置１３１−１乃至１３１−４と対応する。すなわち、図１１のテレビジョン受像機は、映像信号に対する処理を行う点以外は、基本的に、図１の信号処理システムの機能と図５の信号処理システムの機能とを併せた機能を有する。すなわち、映像信号処理部３３１−１乃至３３１−４それぞれは、映像信号を扱う点以外は、基本的に、図１０で説明した信号処理装置２３１−１乃至２３１−３と同様の構成を有するものである。したがって、映像信号処理部３３１−１乃至３３１−４の説明は省略する。
【０１８８】
映像表示デバイス３３２は、例えば、液晶ディスプレイ、プラズマディスプレイ、有機EL（Electro Luminescent）ディスプレイなどからなり、映像信号処理部３３１−１乃至３３１−４のいずれかから供給されたSD信号、HD信号、HDp信号、または4K2K信号（4096×2160画素の画素信号）に応じて、映像を表示する。
【０１８９】
次に、図１２のフローチャートを参照して、図１１のテレビジョン受像機における映像信号処理の例として、映像入力信号および映像出力信号の帯域の拡大に対応する映像信号処理について説明する。
【０１９０】
ステップＳ１３１において、映像信号処理部３３１−４は、4K2K信号を入力する。
【０１９１】
ステップＳ１３２において、映像信号処理部３３１−４は、ユーザの操作を表す操作信号と、テレビジョン受像機における映像信号処理部３３１−１乃至３３１−４の処理能力とに応じて、それぞれが分担する信号処理の処理帯域を決定し、それぞれに指示する。具体的には、映像信号処理部３３１−４は、入力された4K2K信号に対して、映像信号処理部３３１−１乃至３３１−４がそれぞれ、SD，SD，HD，HDp信号相当の処理帯域の信号処理を行うことを決定し、その旨の制御信号を、自身を含めた映像信号処理部３３１−１乃至３３１−４に供給する。
【０１９２】
ステップＳ１３３において、映像信号処理部３３１−４は、制御信号を基に、映像信号処理部３３１−４が信号処理を施すHDp信号相当の処理帯域を認識する。
【０１９３】
ステップＳ１３４において、映像信号処理部３３１−４は、入力信号である4K2K信号を、認識したHDp信号相当の処理帯域に分割する。また、映像信号処理部３３１−４は、入力信号である4K2K信号を分割した残りのHDp信号相当の処理帯域の入力信号を、映像信号処理部３３１−３に供給する。
【０１９４】
ステップＳ１３５において、映像信号処理部３３１−４は、分割した入力信号（HDp信号）に対して所定の映像信号処理を施す。
【０１９５】
ステップＳ１４１において、映像信号処理部３３１−３は、映像信号処理部３３１−４から供給された制御信号に応じて、映像信号処理部３３１−３が信号処理を施すHD信号相当の処理帯域を認識する。
【０１９６】
ステップＳ１４２において、映像信号処理部３３１−３は、映像信号処理部３３１−４から供給された入力信号であるHDp信号を、認識したHD信号相当の処理帯域に分割する。また、映像信号処理部３３１−３は、HDp信号を分割した残りのHD信号相当の処理帯域の入力信号を、映像信号処理部３３１−２に供給する。
【０１９７】
ステップＳ１４３において、映像信号処理部３３１−３は、分割した入力信号（HD信号）に対して所定の映像信号処理を施す。
【０１９８】
ステップＳ１５１において、映像信号処理部３３１−２は、映像信号処理部３３１−４から供給された制御信号に応じて、映像信号処理部３３１−２が信号処理を施すSD信号相当の処理帯域を認識する。
【０１９９】
ステップＳ１５２において、映像信号処理部３３１−２は、映像信号処理部３３１−３から供給された入力信号であるHD信号を、認識したSD信号相当の処理帯域に分割する。また、映像信号処理部３３１−２は、HD信号を分割した残りのSD信号相当の処理帯域の入力信号を、映像信号処理部３３１−１に供給する。
【０２００】
ステップＳ１５３において、映像信号処理部３３１−２は、分割した入力信号（SD信号）に対して所定の映像信号処理を施す。
【０２０１】
ステップＳ１６１において、映像信号処理部３３１−１は、映像信号処理部３３１−４から供給された制御信号に応じて、映像信号処理部３３１−１が信号処理を施すSD信号相当の処理帯域を認識する。
【０２０２】
ステップＳ１６２において、映像信号処理部３３１−１は、映像信号処理部３３１−２から供給された入力信号（SD信号）に対して所定の映像信号処理を施し、その処理結果を、映像信号処理部３３１−２に供給する。
【０２０３】
ステップＳ１５４において、映像信号処理部３３１−２は、映像信号処理部３３１−１から供給された信号（SD信号）と、ステップＳ１５３において映像信号処理を施したSD信号とを統合して、HD信号として映像信号処理部３３１−３に供給する。
【０２０４】
ステップＳ１４４において、映像信号処理部３３１−３は、映像信号処理部３３１−２から供給された信号（HD信号）と、ステップＳ１４３において映像信号処理を施したHD信号とを統合して、HDp信号として映像信号処理部３３１−４に供給する。
【０２０５】
ステップＳ１３６において、映像信号処理部３３１−４は、映像信号処理部３３１−３から供給された信号（HDp信号）と、ステップＳ１３５において映像信号処理を施したHDp信号とを統合する。
【０２０６】
ステップＳ１３７において、映像信号処理部３３１−４は、ステップＳ１３６において統合した信号を、4K2K信号として映像表示デバイス３３２に出力する。
【０２０７】
ステップＳ１３８において、映像表示デバイス３３２は、4K2K信号に応じて映像を表示する。
【０２０８】
以上の処理により、4K2Kの映像入力信号に対して、映像信号処理部３３１−１乃至３３１−４それぞれの処理能力に応じた映像信号処理を施し、4K2Kの映像出力信号を出力することができる。
【０２０９】
したがって、図１１のテレビジョン受像機においては、4K2Kの処理能力を有する映像信号処理部を設けることなく、HDp，HD，SD信号相当の処理能力を有する映像信号処理部を組み合わせることで、4K2Kの映像入力信号に対して、4K2Kの映像出力信号を出力し、対応した映像を表示することができる。結果として、映像入力信号および映像出力信号の帯域の拡大が要求された場合でも、その帯域の処理能力を有さない既存システムを廃棄せずに、映像入力信号および映像出力信号の広帯域化に対応することができる。
【０２１０】
また、図１１のテレビジョン受像機においては、図４のフローチャートで説明した、出力信号の帯域の拡大に対応した信号処理と同様にして、映像出力信号の帯域の拡大に対応した映像信号処理が行われる。
【０２１１】
したがって、図１１のテレビジョン受像機においては、4K2Kの処理能力を有する映像信号処理部を設けることなく、HDp，HD，SD信号相当の処理能力を有する映像信号処理部を組み合わせることで、4K2Kまで映像出力信号の帯域を拡大することができる。結果として、映像表示デバイス３３２の性能のみが向上する等により、映像出力信号の帯域の拡大が要求された場合でも、その帯域の処理能力を有さない既存システムを廃棄せずに、映像出力信号の広帯域化に対応することができる。
【０２１２】
以上においては、本発明をテレビジョン受像機に適用した場合について説明してきたが、上述した構成は、例えば、映像処理システムにも適用することができる。
【０２１３】
図１３は、本発明を適用した映像処理システムの構成例を示している。
【０２１４】
図１３においては、３つの状態の映像処理システムが示されている。図１３左側に示されている映像処理システムは、映像処理装置４３１−１および４３１−２から構成されている。図１３中央に示されている映像処理システムは、図１３左側に示されている映像処理システムに、映像処理装置４３１−３が追加されて構成されている。図１３右側に示されている映像処理システムは、図１３中央に示されている映像処理システムに、映像処理装置４３１−４が追加されて構成されている。
【０２１５】
図１３において、映像処理装置４３１−１は、SD信号に対する信号処理を行うことができ、SD信号が入力されると、ユーザの操作による操作信号（図中、太破線）に応じて、所定の映像信号処理を施し、SD信号を出力する。
【０２１６】
映像処理装置４３１−２は、単独では、映像処理装置４３１−１と同様、SD信号に対する信号処理を行うことができ、SD信号が入力されると、ユーザの操作による操作信号に応じて、所定の映像信号処理を施し、SD信号を出力する。
【０２１７】
映像処理装置４３１−３は、単独では、HD信号に対する信号処理を行うことができ、HD信号が入力されると、ユーザの操作による操作信号に応じて、所定の映像信号処理を施し、HD信号を出力する。
【０２１８】
映像処理装置４３１−４は、単独では、HDp（HDプログレッシブ）信号に対する信号処理を行うことができ、HDp信号が入力されると、ユーザの操作による操作信号に応じて、所定の映像信号処理を施し、HDp信号を出力する。
【０２１９】
また、図１３における映像処理装置４３１−１乃至４３１−４はそれぞれ、図１の信号処理装置３１−１乃至３１−４、および、図５の信号処理装置１３１−１乃至１３１−４と対応する。すなわち、図１３の映像処理システムは、映像信号に対する処理を行う点以外は、基本的に、図１の信号処理システムの機能と図５の信号処理システムの機能とを併せた機能を有する。すなわち、映像処理装置４３１−１乃至４３１−４それぞれは、映像信号を扱う点以外は、基本的に、図１０で説明した信号処理装置２３１−１乃至２３１−３と同様の構成を有するものである。したがって、映像処理装置４３１−１乃至４３１−４の説明は省略する。
【０２２０】
次に、図１４のフローチャートを参照して、図１３の映像処理システムにおける映像信号処理の例として、映像入力信号および映像出力信号の帯域の拡大に対応する映像信号処理について説明する。
【０２２１】
ステップＳ２３１において、映像処理装置４３１−４は、4K2K信号を入力する。
【０２２２】
ステップＳ２３２において、映像処理装置４３１−４は、ユーザの操作を表す操作信号と、映像処理システムにおける映像処理装置４３１−１乃至４３１−４の処理能力とに応じて、それぞれが分担する信号処理の処理帯域を決定し、それぞれに指示する。具体的には、映像処理装置４３１−４は、入力された4K2K信号に対して、映像処理装置４３１−１乃至４３１−４がそれぞれ、SD，SD，HD，HDp信号相当の処理帯域の信号処理を行うことを決定し、その旨の制御信号を、自身を含めた映像処理装置４３１−１乃至４３１−４に供給する。
【０２２３】
ステップＳ２３３において、映像信号装置４３１−４は、制御信号を基に、映像信号装置４３１−４が信号処理を施すHDp信号相当の処理帯域を認識する。
【０２２４】
ステップＳ２３４において、映像処理装置４３１−４は、入力信号である4K2K信号を、認識したHDp信号相当の処理帯域に分割する。また、映像処理装置４３１−４は、入力信号である4K2K信号を分割した残りのHDp信号相当の処理帯域の入力信号を、映像処理装置４３１−３に供給する。
【０２２５】
ステップＳ２３５において、映像処理装置４３１−４は、分割した入力信号（HDp信号）に対して所定の映像信号処理を施す。
【０２２６】
ステップＳ２４１において、映像処理装置４３１−３は、映像処理装置４３１−４から供給された制御信号に応じて、映像処理装置４３１−３が信号処理を施すHD信号相当の処理帯域を認識する。
【０２２７】
ステップＳ２４２において、映像処理装置４３１−３は、映像処理装置４３１−４から供給された入力信号であるHDp信号を、認識したHD信号相当の処理帯域に分割する。また、映像処理装置４３１−３は、HDp信号を分割した残りのHD信号相当の処理帯域の入力信号を、映像処理装置４３１−２に供給する。
【０２２８】
ステップＳ２４３において、映像処理装置４３１−３は、分割した入力信号（HD信号）に対して所定の映像信号処理を施す。
【０２２９】
ステップＳ２５１において、映像処理装置４３１−２は、映像処理装置４３１−４から供給された制御信号に応じて、映像処理装置４３１−２が信号処理を施すSD信号相当の処理帯域を認識する。
【０２３０】
ステップＳ２５２において、映像処理装置４３１−２は、映像処理装置４３１−３から供給された入力信号であるHD信号を、認識したSD信号相当の処理帯域に分割する。また、映像処理装置４３１−２は、HD信号を分割した残りのSD信号相当の処理帯域の入力信号を、映像処理装置４３１−１に供給する。
【０２３１】
ステップＳ２５３において、映像処理装置４３１−２は、分割した入力信号（SD信号）に対して所定の映像信号処理を施す。
【０２３２】
ステップＳ２６１において、映像処理装置４３１−１は、映像処理装置４３１−４から供給された制御信号に応じて、映像処理装置４３１−１が信号処理を施すSD信号相当の処理帯域を認識する。
【０２３３】
ステップＳ２６２において、映像処理装置４３１−１は、映像処理装置４３１−２から供給された入力信号（SD信号）に対して所定の映像信号処理を施し、その処理結果を、映像処理装置４３１−２に供給する。
【０２３４】
ステップＳ２５４において、映像処理装置４３１−２は、映像処理装置４３１−１から供給された信号（SD信号）と、ステップＳ２５３において映像信号処理を施したSD信号とを統合して、HD信号として映像処理装置４３１−３に供給する。
【０２３５】
ステップＳ２４４において、映像処理装置４３１−３は、映像処理装置４３１−２から供給された信号（HD信号）と、ステップＳ２４３において映像信号処理を施したHD信号とを統合して、HDp信号として映像処理装置４３１−４に供給する。
【０２３６】
ステップＳ２３６において、映像処理装置４３１−４は、映像処理装置４３１−３から供給された信号（HDp信号）と、ステップＳ２３５において映像信号処理を施したHDp信号とを統合する。
【０２３７】
ステップＳ２３７において、映像処理装置４３１−４は、ステップＳ２３６において統合した信号を、4K2K信号として出力する。
【０２３８】
以上の処理により、4K2Kの映像入力信号に対して、映像処理装置４３１−１乃至４３１−４それぞれの処理能力に応じた映像信号処理を施し、4K2Kの映像出力信号を出力することができる。
【０２３９】
したがって、図１３の映像処理システムにおいては、4K2Kの処理能力を有する映像処理装置を設けることなく、HDp，HD，SD信号相当の処理能力を有する映像処理装置を組み合わせることで、4K2Kの映像入力信号に対して、4K2Kの映像出力信号を出力することができる。結果として、映像入力信号および映像出力信号の帯域の拡大が要求された場合でも、その帯域の処理能力を有さない既存システムを廃棄せずに、映像入力信号および映像出力信号の広帯域化に対応することができる。
【０２４０】
また、図１３の映像処理システムにおいては、図４のフローチャートで説明した、出力信号の帯域の拡大に対応した信号処理と同様にして、映像出力信号の帯域の拡大に対応した映像信号処理が行われる。
【０２４１】
したがって、図１３の映像処理システムにおいては、4K2Kの処理能力を有する映像処理装置を設けることなく、HDp，HD，SD信号相当の処理能力を有する映像処理装置を組み合わせることで、4K2Kまで映像出力信号の帯域を拡大することができる。結果として、映像出力信号の帯域の拡大が要求された場合でも、その帯域の処理能力を有さない既存システムを廃棄せずに、映像出力信号の広帯域化に対応することができる。
【０２４２】
以上においては、本発明を映像処理システムに適用した場合について説明してきたが、上述した構成は、例えば、音声処理システムにも適用することができる。
【０２４３】
図１５は、本発明を適用した音声処理システムの構成例を示している。
【０２４４】
図１５においては、３つの状態の音声処理システムが示されている。図１５左側に示されている音声処理システムは、音声処理装置５３１−１および５３１−２から構成されている。図１５中央に示されている音声処理システムは、図１５左側に示されている音声処理システムに、音声処理装置５３１−３が追加されて構成されている。図１５右側に示されている音声処理システムは、図１５中央に示されている音声処理システムに、音声処理装置５３１−４が追加されて構成されている。
【０２４５】
図１５において、音声処理装置５３１−１は、サンプリング周波数Fsの音声信号に対する信号処理を行うことができ、サンプリング周波数Fsの音声信号が入力されると、ユーザの操作による操作信号（図中、太破線）に応じて、音声所定の信号処理を施し、サンプリング周波数Fsの音声信号を出力する。
【０２４６】
音声処理装置５３１−２は、単独では、音声処理装置５３１−１と同様、サンプリング周波数Fsの音声信号に対する信号処理を行うことができ、サンプリング周波数Fsの音声信号が入力されると、ユーザの操作による操作信号に応じて、所定の音声信号処理を施し、サンプリング周波数Fsの音声信号を出力する。
【０２４７】
音声処理装置５３１−３は、単独では、サンプリング周波数2Fsの音声信号に対する信号処理を行うことができ、サンプリング周波数2Fsの音声信号が入力されると、ユーザの操作による操作信号に応じて、所定の音声信号処理を施し、サンプリング周波数2Fsの音声信号を出力する。
【０２４８】
音声処理装置５３１−４は、単独では、サンプリング周波数4Fsの音声信号に対する信号処理を行うことができ、サンプリング周波数4Fsの音声信号が入力されると、ユーザの操作による操作信号に応じて、所定の音声信号処理を施し、サンプリング周波数4Fsの音声信号を出力する。
【０２４９】
また、図１５における音声処理装置５３１−１乃至５３１−４はそれぞれ、図１の信号処理装置３１−１乃至３１−４、および、図５の信号処理装置１３１−１乃至１３１−４と対応する。すなわち、図１５の音声処理システムは、音声信号に対する処理を行う点以外は、基本的に、図１の信号処理システムの機能と図５の信号処理システムの機能とを併せた機能を有する。すなわち、音声処理装置５３１−１乃至５３１−４それぞれは、音声信号を扱う点以外は、基本的に、図１０で説明した信号処理装置２３１−１乃至２３１−３と同様の構成を有するものである。したがって、音声処理装置５３１−１乃至５３１−４の説明は省略する。
【０２５０】
次に、図１６のフローチャートを参照して、図１５の音声処理システムにおける音声信号処理の例として、音声入力信号および音声出力信号の帯域の拡大に対応する音声信号処理について説明する。
【０２５１】
ステップＳ３３１において、音声処理装置５３１−４は、サンプリング周波数8Fsの音声信号を入力する。
【０２５２】
ステップＳ３３２において、音声処理装置５３１−４は、ユーザの操作を表す操作信号と、音声処理システムにおける音声処理装置５３１−１乃至５３１−４の処理能力とに応じて、それぞれが分担する信号処理の処理帯域を決定し、それぞれに指示する。具体的には、音声処理装置５３１−４は、入力されたサンプリング周波数8Fsの音声信号に対して、音声処理装置５３１−１乃至５３１−４がそれぞれ、サンプリング周波数Fs，Fs，2Fs，4Fsの処理帯域の信号処理を行うことを決定し、その旨の制御信号を、自身を含めた音声処理装置５３１−１乃至５３１−４に供給する。
【０２５３】
ステップＳ３３３において、音声処理装置５３１−４は、制御信号を基に、音声処理装置５３１−４が信号処理を施すサンプリング周波数4Fsの処理帯域を認識する。
【０２５４】
ステップＳ３３４において、音声処理装置５３１−４は、入力信号であるサンプリング周波数8Fsの音声信号を、認識したサンプリング周波数4Fsの処理帯域に分割する。また、音声処理装置５３１−４は、入力信号であるサンプリング周波数8Fsの音声信号を分割した残りのサンプリング周波数4Fsの処理帯域の入力信号を、音声処理装置５３１−３に供給する。
【０２５５】
ステップＳ３３５において、音声処理装置５３１−４は、分割した入力信号（サンプリング周波数4Fsの音声信号）に対して所定の音声信号処理を施す。
【０２５６】
ステップＳ３４１において、音声処理装置５３１−３は、音声処理装置５３１−４から供給された制御信号に応じて、音声処理装置５３１−３が信号処理を施すサンプリング周波数2Fsの処理帯域を認識する。
【０２５７】
ステップＳ３４２において、音声処理装置５３１−３は、音声処理装置５３１−４から供給された入力信号であるサンプリング周波数4Fsの音声信号を、認識したサンプリング周波数2Fsの処理帯域に分割する。また、音声処理装置５３１−３は、サンプリング周波数4Fsの音声信号を分割した残りのサンプリング周波数2Fsの処理帯域の入力信号を、音声処理装置５３１−２に供給する。
【０２５８】
ステップＳ３４３において、音声処理装置５３１−３は、分割した入力信号（サンプリング周波数2Fsの音声信号）に対して所定の音声信号処理を施す。
【０２５９】
ステップＳ３５１において、音声処理装置５３１−２は、音声処理装置５３１−４から供給された制御信号に応じて、音声処理装置５３１−２が信号処理を施すサンプリング周波数Fsの処理帯域を認識する。
【０２６０】
ステップＳ３５２において、音声処理装置５３１−２は、音声処理装置５３１−３から供給された入力信号であるサンプリング周波数2Fsの音声信号を、認識したサンプリング周波数Fsの処理帯域に分割する。また、音声処理装置５３１−２は、サンプリング周波数2Fsの音声信号を分割した残りのサンプリング周波数Fsの処理帯域の入力信号を、音声処理装置５３１−１に供給する。
【０２６１】
ステップＳ３５３において、音声処理装置５３１−２は、分割した入力信号（サンプリング周波数Fsの音声信号）に対して所定の音声信号処理を施す。
【０２６２】
ステップＳ３６１において、音声処理装置５３１−１は、音声処理装置５３１−４から供給された制御信号に応じて、音声処理装置５３１−１が信号処理を施すサンプリング周波数Fsの処理帯域を認識する。
【０２６３】
ステップＳ３６２において、音声処理装置５３１−１は、音声処理装置５３１−２から供給された入力信号（サンプリング周波数Fsの音声信号）に対して所定の音声信号処理を施し、その処理結果を、音声処理装置５３１−２に供給する。
【０２６４】
ステップＳ３５４において、音声処理装置５３１−２は、音声処理装置５３１−１から供給された信号（サンプリング周波数Fsの音声信号）と、ステップＳ３５３において音声信号処理を施したサンプリング周波数Fsの音声信号とを統合して、サンプリング周波数2Fsの音声信号として音声処理装置５３１−３に供給する。
【０２６５】
ステップＳ３４４において、音声処理装置５３１−３は、音声処理装置５３１−２から供給された信号（サンプリング周波数2Fsの音声信号）と、ステップＳ３４３において音声信号処理を施したサンプリング周波数2Fsの音声信号とを統合して、サンプリング周波数4Fsの音声信号として音声処理装置５３１−４に供給する。
【０２６６】
ステップＳ３３６において、音声処理装置５３１−４は、音声処理装置５３１−３から供給された信号（サンプリング周波数4Fsの音声信号）と、ステップＳ３３５において音声信号処理を施したサンプリング周波数4Fsの音声信号とを統合する。
【０２６７】
ステップＳ３３７において、音声処理装置５３１−４は、ステップＳ３３６において統合した信号を、サンプリング周波数8Fsの音声信号として出力する。
【０２６８】
以上の処理により、サンプリング周波数8Fsの音声入力信号に対して、音声処理装置５３１−１乃至５３１−４それぞれの処理能力に応じた音声信号処理を施し、サンプリング周波数8Fsの音声出力信号を出力することができる。
【０２６９】
したがって、図１５の音声処理システムにおいては、サンプリング周波数8Fsの処理能力を有する音声処理装置を設けることなく、4Fsや2Fs，Fs相当のサンプリング周波数の処理能力を有する音声処理装置を組み合わせることで、サンプリング周波数8Fsの音声入力信号に対して、サンプリング周波数8Fsの音声出力信号を出力することができる。結果として、音声入力信号および音声出力信号の帯域の拡大が要求された場合でも、その帯域の処理能力を有さない既存システムを廃棄せずに、音声入力信号および音声出力信号の広帯域化に対応することができる。
【０２７０】
また、図１５の音声処理システムにおいては、図４のフローチャートで説明した、出力信号の帯域の拡大に対応した信号処理と同様にして、音声出力信号の帯域の拡大に対応した音声信号処理が行われる。
【０２７１】
したがって、図１５の音声処理システムにおいては、サンプリング周波数8Fsの処理能力を有する音声処理装置を設けることなく、4Fsや2Fs，Fs相当のサンプリング周波数の処理能力を有する音声処理装置を組み合わせることで、サンプリング周波数8Fsまで音声出力信号の帯域を拡大することができる。結果として、音声出力信号の帯域の拡大が要求された場合でも、その帯域の処理能力を有さない既存システムを廃棄せずに、音声出力信号の広帯域化に対応することができる。
【０２７２】
以上においては、本発明を音声処理システムに適用した場合について説明してきたが、上述した構成は、例えば、データ処理システムにも適用することができる。
【０２７３】
図１７は、本発明を適用したデータ処理システムの構成例を示している。
【０２７４】
図１７においては、３つの状態のデータ処理システムが示されている。図１７左側に示されているデータ処理システムは、データ処理装置６３１−１および６３１−２から構成されている。図１７中央に示されているデータ処理システムは、図１７左側に示されているデータ処理システムに、データ処理装置６３１−３が追加されて構成されている。図１７右側に示されているデータ処理システムは、図１７中央に示されているデータ処理システムに、データ処理装置６３１−４が追加されて構成されている。
【０２７５】
図１７において、データ処理装置６３１−１は、データレートN（bps(bit per seconds)）のデータに対する信号処理を行うことができ、データレートN（bps）のデータが入力されると、ユーザの操作による操作信号（図中、太破線）に応じて、所定のデータ処理を施し、データレートN（bps）のデータを出力する。
【０２７６】
データ処理装置６３１−２は、単独では、データ処理装置６３１−１と同様、データレートN（bps）のデータに対するデータ処理を行うことができ、データレートN（bps）のデータが入力されると、ユーザの操作による操作信号に応じて、所定のデータ処理を施し、データレートN（bps）のデータを出力する。
【０２７７】
データ処理装置６３１−３は、単独では、データレート2N（bps）のデータに対するデータ処理を行うことができ、データレート2N（bps）のデータが入力されると、ユーザの操作による操作信号に応じて、所定のデータ処理を施し、データレート2N（bps）のデータを出力する。
【０２７８】
データ処理装置６３１−４は、単独では、データレート4N（bps）のデータに対するデータ処理を行うことができ、データレート4N（bps）のデータが入力されると、ユーザの操作による操作信号に応じて、所定のデータ処理を施し、データレート4N（bps）のデータを出力する。
【０２７９】
また、図１７におけるデータ処理装置６３１−１乃至６３１−４はそれぞれ、図１の信号処理装置３１−１乃至３１−４、および、図５の信号処理装置１３１−１乃至１３１−４と対応する。すなわち、図１７のデータ処理システムは、データに対する処理を行う点以外は、基本的に、図１の信号処理システムの機能と図５の信号処理システムの機能とを併せた機能を有する。すなわち、データ処理装置６３１−１乃至６３１−４それぞれは、所定のフォーマットの信号に代わって、所定のデータレートのデータを扱う点以外は、基本的に、図１０で説明した信号処理装置２３１−１乃至２３１−３と同様の構成を有するものである。したがって、データ処理装置６３１−１乃至６３１−４の説明は省略する。
【０２８０】
次に、図１８のフローチャートを参照して、図１７のデータ処理システムにおけるデータ処理の例として、入力データおよび出力データの帯域の拡大に対応するデータ処理について説明する。
【０２８１】
ステップＳ４３１において、データ処理装置６３１−４は、データレート8N（bps）のデータを入力する。
【０２８２】
ステップＳ４３２において、データ処理装置６３１−４は、ユーザの操作を表す操作信号と、データ処理システムにおけるデータ処理装置６３１−１乃至６３１−４の処理能力とに応じて、それぞれが分担するデータ処理の処理帯域を決定し、それぞれに指示する。具体的には、データ処理装置６３１−４は、入力されたデータレート8N（bps）のデータに対して、データ処理装置６３１−１乃至６３１−４がそれぞれ、データレートN，N，2N，4Nの処理帯域のデータ処理を行うことを決定し、その旨の制御信号を、自身を含めたデータ処理装置６３１−１乃至６３１−４に供給する。
【０２８３】
ステップＳ４３３において、データ処理装置６３１−４は、制御信号を基に、データ処理装置６３１−４がデータ処理を施すデータレート4Nの処理帯域を認識する。
【０２８４】
ステップＳ４３４において、データ処理装置６３１−４は、入力データであるデータレート8N（bps）のデータを、認識したデータレート4Nの処理帯域に分割する。また、データ処理装置６３１−４は、入力データであるデータレート8N（bps）のデータを分割した残りのデータレート4Nの処理帯域の入力データを、データ処理装置６３１−３に供給する。
【０２８５】
ステップＳ４３５において、データ処理装置６３１−４は、分割した入力データ（データレート4N（bps）のデータ）に対して所定のデータ処理を施す。
【０２８６】
ステップＳ４４１において、データ処理装置６３１−３は、データ処理装置６３１−４から供給された制御信号に応じて、データ処理装置６３１−３がデータ処理を施すデータレート2Nの処理帯域を認識する。
【０２８７】
ステップＳ４４２において、データ処理装置６３１−３は、データ処理装置６３１−４から供給された入力信号であるデータレート4N（bps）のデータを、認識したデータレート2Nの処理帯域に分割する。また、データ処理装置６３１−３は、データレート4N（bps）のデータを分割した残りのデータレート2Nの処理帯域の入力データを、データ処理装置６３１−２に供給する。
【０２８８】
ステップＳ４４３において、データ処理装置６３１−３は、分割した入力データ（データレート2N（bps）のデータ）に対して所定のデータ処理を施す。
【０２８９】
ステップＳ４５１において、データ処理装置６３１−２は、データ処理装置６３１−４から供給された制御信号に応じて、データ処理装置６３１−２がデータ処理を施すデータレートNの処理帯域を認識する。
【０２９０】
ステップＳ４５２において、データ処理装置６３１−２は、データ処理装置６３１−３から供給された入力データであるデータレート2N（bps）のデータを、認識したデータレートNの処理帯域に分割する。また、データ処理装置６３１−２は、データレート2N（bps）のデータを分割した残りのデータレートNの処理帯域の入力データを、データ処理装置６３１−１に供給する。
【０２９１】
ステップＳ４５３において、データ処理装置６３１−２は、分割した入力データ（データレートN（bps）のデータ）に対して所定のデータ処理を施す。
【０２９２】
ステップＳ４６１において、データ処理装置６３１−１は、データ処理装置６３１−４から供給された制御信号に応じて、データ処理装置６３１−１がデータ処理を施すデータレートNの処理帯域を認識する。
【０２９３】
ステップＳ４６２において、データ処理装置６３１−１は、データ処理装置６３１−２から供給された入力データ（データレートN（bps）のデータ）に対して所定のデータ処理を施し、その処理結果を、データ処理装置６３１−２に供給する。
【０２９４】
ステップＳ４５４において、データ処理装置６３１−２は、データ処理装置６３１−１から供給されたデータ（データレートN（bps）のデータ）と、ステップＳ４５３においてデータ処理を施したデータレートN（bps）のデータとを統合して、データレート2N（bps）のデータとしてデータ処理装置６３１−３に供給する。
【０２９５】
ステップＳ４４４において、データ処理装置６３１−３は、データ処理装置６３１−２から供給されたデータ（データレート2N（bps）のデータ）と、ステップＳ４４３においてデータ処理を施したデータレート2N（bps）のデータとを統合して、データレート4N（bps）のデータとしてデータ処理装置６３１−４に供給する。
【０２９６】
ステップＳ４３６において、データ処理装置６３１−４は、データ処理装置６３１−３から供給されたデータ（データレート4N（bps）のデータ）と、ステップＳ４３５においてデータ処理を施したデータレート4N（bps）のデータとを統合する。
【０２９７】
ステップＳ４３７において、データ処理装置６３１−４は、ステップＳ４３６において統合したデータを、データレート8N（bps）のデータとして出力する。
【０２９８】
以上の処理により、データレート8N（bps）の入力データに対して、データ処理装置６３１−１乃至６３１−４それぞれの処理能力に応じたデータ処理を施し、データレート8N（bps）の出力データを出力することができる。
【０２９９】
したがって、図１７のデータ処理システムにおいては、データレート8N（bps）の処理能力を有するデータ処理装置を設けることなく、4Nや2N，N相当のデータレートの処理能力を有するデータ処理装置を組み合わせることで、データレート8N（bps）の入力データに対して、データレート8N（bps）の出力データを出力することができる。結果として、入力データおよび出力データの帯域の拡大が要求された場合でも、その帯域の処理能力を有さない既存システムを廃棄せずに、入力データおよび出力データの広帯域化に対応することができる。
【０３００】
また、図１７のデータ処理システムにおいては、図４のフローチャートで説明した、出力信号の帯域の拡大に対応した信号処理と同様にして、出力データの帯域の拡大に対応したデータ処理が行われる。
【０３０１】
したがって、図１７のデータ処理システムにおいては、データレート8N（bps）の処理能力を有するデータ処理装置を設けることなく、4Nや2N，N相当のデータレートの処理能力を有するデータ処理装置を組み合わせることで、データレート8N（bps）まで出力データの帯域を拡大することができる。結果として、出力データの帯域の拡大が要求された場合でも、その帯域の処理能力を有さない既存システムを廃棄せずに、出力データの広帯域化に対応することができる。
【０３０２】
以上のように、複数の信号処理装置のうちのいずれかに入力された入力信号に対して、分担して信号処理を施す複数の信号処理装置からなる信号処理システムにおいて、例えば、信号処理装置３１−２は、入力信号の、自身の処理能力（１Ｂ）に応じた帯域の帯域１Ｂ信号に対して、所定の信号処理を施し、信号処理装置３１−１において、入力信号の、信号処理装置３１−１の処理能力（１Ｂ）に応じた帯域の帯域１Ｂ信号に対して、所定の信号処理が施された信号と、信号処理装置３１−２が信号処理を施した帯域１Ｂ信号とを統合し、信号処理装置３１−３に出力するので、例えば、帯域４Ｂの処理能力を有する信号処理装置を設けることなく、帯域１Ｂまたは２Ｂの処理能力を有する信号処理装置を組み合わせることで、帯域１Ｂの入力信号に対して、帯域４Ｂまで出力信号の帯域を拡大したり、帯域４Ｂの入力信号に対して、帯域４Ｂの出力信号を出力することができる。結果として、その帯域の処理能力を有さない既存システムを廃棄せずに、信号の広帯域化に対応することができる。
【０３０３】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ等に、プログラム記録媒体からインストールされる。
【０３０４】
図１９は、上述した一連の処理をプログラムにより実行するコンピュータのハードウェアの構成例を示すブロック図である。
【０３０５】
コンピュータにおいて、CPU（Central Processing Unit）９０１，ROM（Read Only Memory）９０２，RAM（Random Access Memory）９０３は、バス９０４により相互に接続されている。
【０３０６】
バス９０４には、さらに、入出力インタフェース９０５が接続されている。入出力インタフェース９０５には、キーボード、マウス、マイクロホン等よりなる入力部９０６、ディスプレイ、スピーカ等よりなる出力部９０７、ハードディスクや不揮発性のメモリ等よりなる記憶部９０８、ネットワークインタフェース等よりなる通信部９０９、磁気ディスク、光ディスク、光磁気ディスク、或いは半導体メモリ等のリムーバブルメディア９１１を駆動するドライブ９１０が接続されている。
【０３０７】
以上のように構成されるコンピュータでは、CPU９０１が、例えば、記憶部９０８に記憶されているプログラムを、入出力インタフェース９０５およびバス９０４を介して、RAM９０３にロードして実行することにより、上述した一連の処理が行われる。
【０３０８】
コンピュータ（CPU９０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリ等よりなるパッケージメディアであるリムーバブルメディア９１１に記録して、あるいは、ローカルエリアネットワーク、インターネット、デジタル衛星放送といった、有線または無線の伝送媒体を介して提供される。
【０３０９】
そして、プログラムは、リムーバブルメディア９１１をドライブ９１０に装着することにより、入出力インタフェース９０５を介して、記憶部９０８にインストールすることができる。また、プログラムは、有線または無線の伝送媒体を介して、通信部９０９で受信し、記憶部９０８にインストールすることができる。その他、プログラムは、ROM９０２や記憶部９０８に、あらかじめインストールしておくことができる。
【０３１０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３１１】
また、本明細書において、システムとは、複数の装置により構成される装置全体を表すものである。
【０３１２】
なお、本発明の実施の形態は、上述した実施の形態に限定されるものではなく、本発明の要旨を逸脱しない範囲において種々の変更が可能である。
【図面の簡単な説明】
【０３１３】
【図１】本発明を適用した信号処理システムの一実施の形態の構成例を示す図である。
【図２】図１の信号処理システムを構成する信号処理装置の信号処理の分担の概念を示す図である。
【図３】図１の信号処理システムの具体的な構成例を示す図である。
【図４】図３の信号処理システムにおける信号処理について説明するフローチャートである。
【図５】信号処理システムの他の構成例を示す図である。
【図６】図６の信号処理システムの具体的な構成例を示す図である。
【図７】図６の信号処理システムにおける信号処理について説明するフローチャートである。
【図８】信号処理システムのさらに他の構成例を示す図である。
【図９】図８の信号処理システムにおける信号処理について説明するフローチャートである。
【図１０】信号処理システムのさらに他の構成例を示す図である。
【図１１】本発明を適用したテレビジョン受像機の構成例を示す図である。
【図１２】図１１のテレビジョン受像機の映像信号処理について説明するフローチャートである。
【図１３】本発明を適用した映像処理システムの構成例を示す図である。
【図１４】図１３の映像処理システムの映像信号処理について説明するフローチャートである。
【図１５】本発明を適用した音声処理システムの構成例を示す図である。
【図１６】図１５の音声処理システムの音声信号処理について説明するフローチャートである。
【図１７】本発明を適用したデータ処理システムの構成例を示す図である。
【図１８】図１８のデータ処理システムのデータ処理について説明するフローチャートである。
【図１９】本発明が適用される信号処理装置として機能するコンピュータのハードウェアの構成例を示すブロック図である。
【符号の説明】
【０３１４】
３１−１乃至３１−４  信号処理装置，  ５１−１乃至５１−３  制御部，  ５２−１乃至５２−３  信号処理部，  ５２ａ−１乃至５２ａ−３  増幅部，  ５３−２，５３−３  信号統合部，  １３１−１乃至１３１−４  信号処理装置，  １５１−１乃至１５１−３  制御部，  １５２−２，１５２−３  信号分割部，  １５３−１乃至１５３−３  信号処理部，  １５４−２，１５４−３  信号統合部，  ２３１−１乃至２３１−３  信号処理装置，  ２５１−１乃至２５１−３  制御部，  ２５２−１，２５２−２  ＳＷ，  ２５３−２，２５３−３  信号分割部，  ２５４−２，２５４−３  ＳＷ，  ２５５−１乃至２５５−３  信号処理部，  ２５５ａ−１乃至２５５ａ−３  増幅部，  ２５６−２，２５６−３  信号統合部
【図１】
0004661901.tif 000002
【図２】
0004661901.tif 000003
【図３】
0004661901.tif 000004
【図４】
0004661901.tif 000005
【図５】
0004661901.tif 000006
【図６】
0004661901.tif 000007
【図７】
0004661901.tif 000008
【図８】
0004661901.tif 000009
【図９】
0004661901.tif 000010
【図１０】
0004661901.tif 000011
【図１１】
0004661901.tif 000012
【図１２】
0004661901.tif 000013
【図１３】
0004661901.tif 000014
【図１４】
0004661901.tif 000015
【図１５】
0004661901.tif 000016
【図１６】
0004661901.tif 000017
【図１７】
0004661901.tif 000018
【図１８】
0004661901.tif 000019
【図１９】
0004661901.tif 000020